(57)【要約】本体(113,213)を備え、液体を保持するためのダイヤフラム(30,130,230)および容器(14,114,214)と、容器(14,114,214)の本体(113,213)に液体を注入および／または除去するための開口(115,215)が提供される。容器(14,114,214)は、開口(115,215)と、本体(113,213)との間にネック部(12,112,212)を備え、ダイヤフラム(30,130,230)は、ネック部(12,112,212)に取り付けられる。ダイヤフラム(30,130,230)は、容器(14,114,214)の開口(115,215)と本体(113,213)との間に配置される。
2016525048.tif 000002
【特許請求の範囲】
【請求項１】
容器に取り付けられるダイヤフラム、シールまたはメンブレン、および／または、該ダイヤフラム、シールまたはメンブレン用の支持部材であって、前記容器のネック部内に取り付けられるように構成されていることを特徴とする、ダイヤフラム、シールまたはメンブレン、および／または、ダイヤフラム支持部材。
【請求項２】
前記ダイヤフラム、シールまたはメンブレンは、初回の開封時に破損するように構成されている、請求項１に記載のダイヤフラム、シールまたはメンブレン、および／または、前記ダイヤフラム、シールまたはメンブレン用の支持部材。
【請求項３】
前記ダイヤフラム、シールまたはメンブレン、および／または、前記支持部材は、希少性あるいは準希少性またはコレクション性のある部材および／または金属製部材を含む、請求項１または２に記載のダイヤフラム、シールまたはメンブレン、および／または、ダイヤフラム、シールまたはメンブレン用の支持部材。
【請求項４】
前記ダイヤフラム、シールまたはメンブレン、および／または、前記支持部材は、前記容器および／または該容器に取り付けられたクロージャの開口から間隔をおいて配置されるように構成されている、請求項１〜３のいずれかに記載のダイヤフラム、シールまたはメンブレン、および／または、ダイヤフラム、シールまたはメンブレン用の支持部材。
【請求項５】
前記ダイヤフラム、シールまたはメンブレン、および／または、前記支持部材は、前記容器のネック部内に少なくとも部分的に配置可能なインサートを備える、請求項１〜４に記載のダイヤフラム、シールまたはメンブレン、および／または、ダイヤフラム、シールまたはメンブレン用の支持部材。
【請求項６】
前記ダイヤフラム、シールまたはメンブレン、および／または、前記支持部材は、前記容器のネック部の流路内に取り付けられるように構成されている、請求項１〜５のいずれかに記載のダイヤフラム、シールまたはメンブレン、および／または、ダイヤフラム、シールまたはメンブレン用の支持部材。
【請求項７】
前記ダイヤフラム、シールまたはメンブレン、および／または、前記支持部材は、前記容器および／または該容器に取り付けられたクロージャの流体出口の上流側に取り付けられるように構成されている、請求項１〜６のいずれかに記載のダイヤフラム、シールまたはメンブレン、および／または、ダイヤフラム、シールまたはメンブレン用の支持部材。
【請求項８】
前記ダイヤフラム、シールまたはメンブレン、および／または、前記支持部材は、前記容器に対して実質的に分離不能に取り付けられている、請求項１〜７のいずれかに記載のダイヤフラム、シールまたはメンブレン、および／または、ダイヤフラム、シールまたはメンブレン用の支持部材。
【請求項９】
前記ダイヤフラム、シールまたはメンブレン、および／または、前記支持部材は、前記容器の開口と前記容器の本体との間の配置されるように構成されている、請求項１〜８のいずれかに記載のダイヤフラム、シールまたはメンブレン、および／または、ダイヤフラム、シールまたはメンブレン用の支持部材。
【請求項１０】
前記支持部材は、剛性部材を備える、請求項１〜９のいずれかに記載のダイヤフラム、シールまたはメンブレン、および／または、ダイヤフラム、シールまたはメンブレン用の支持部材。
【請求項１１】
前記ダイヤフラム、シールまたはメンブレン用の支持部材は、前記容器の本体の近位側に配置される下側開口と、該下側開口に対して前記容器の本体の遠位側に配置される上側開口とを備え、前記上側開口は、前記下側開口、および、前記支持部材の上側環状部の下側に取り付けられた前記シール、メンブレンまたはダイヤフラムよりも小さい、請求項１〜１０のいずれかに記載のダイヤフラム、シールまたはメンブレン、および／または、ダイヤフラム、シールまたはメンブレン用の支持部材。
【請求項１２】
前記容器のネック部の中または上に取り付けられるよう構成され、請求項１〜１１のいずれかに記載されたダイヤフラム、シールまたはメンブレン、および／または、ダイヤフラム、シールまたはメンブレン用の支持部材を備える、クロージャアセンブリ。
【請求項１３】
請求項１〜１１のいずれかに記載されたダイヤフラム、シールまたはメンブレン、および／または、ダイヤフラム、メンブレンまたはシール用の支持部材、および／または、請求項１２に記載のクロージャアセンブリを備える、容器。
【請求項１４】
液体を収容するための本体と、
前記容器の本体に液体を注入および／または排出するための開口と、
前記開口と前記本体との間にあるネック部と、
を備え、
前記容器は、前記ネック部に取り付けられた前記ダイヤフラム、シールまたはメンブレンおよび／または前記支持部材を備える、請求項１３に記載の容器。
【請求項１５】
前記ダイヤフラム、シールまたはメンブレン、および／または、前記支持部材は、前記開口部から離隔した前記ネック部の中間位置に設けられている、請求項１３または１４に記載の容器。
【請求項１６】
前記ダイヤフラム、シールまたはメンブレン、および／または、前記支持部材は、前記ネック部の中央部に取り付けられている、請求項１３〜１５のいずれかに記載の容器。
【請求項１７】
前記ダイヤフラム、シールまたはメンブレン、および／または、前記支持部材は、前記開口から離隔しており、かつ、前記容器の隠されていない部分を介して目視可能である、請求項１３〜１６のいずれかに記載の容器。
【請求項１８】
前記ダイヤフラム、シールまたはメンブレン、および／または、前記支持部材は、前記開口から離隔しており、前記容器のネック部のうち、前記開口と、前記ダイヤフラム、シールまたはメンブレン、および／または、前記支持部材との間に、該容器の初回開封の前後において、追加的な密閉手段を受け入れることが可能となっている、請求項１３〜１７のいずれかに記載の容器。
【請求項１９】
前記ダイヤフラム、シールまたはメンブレン、および／または、前記支持部材は、前記開口から離隔しており、前記ダイヤフラム、シールまたはメンブレン、および／または、前記支持部材へのアクセスが阻害されており、前記ダイヤフラム、シールまたはメンブレン、および／または、前記支持部材の除去または交換が阻止される、請求項１３〜１８のいずれかに記載の容器。
【請求項２０】
前記ダイヤフラム、シールまたはメンブレン、および／または、前記支持部材は、前記開口から離隔しており、浮かんでいるように設置されている、請求項１３〜１９のいずれかに記載の容器。
【請求項２１】
前記ダイヤフラム、シールまたはメンブレン、および／または、前記支持部材は、前記ネック部に取り外し不能に取り付けられている、請求項１３〜２０のいずれかに記載の容器。
【請求項２２】
前記ネック部は、前記ネック部の長さに沿って厚さが小さい部分を備え、前記厚さが小さい部分は、前記開口と前記本体との間の前記ネック部の長さに沿って中間位置に配置されており、前記中間位置は、前記ダイヤフラム、シールまたはメンブレン、および／または、前記支持部材の取り付け位置に対応している、請求項１３〜２１のいずれかに記載の容器。
【請求項２３】
前記厚さが小さい部分は、前記ダイヤフラム、シールまたはメンブレン、および／または、前記支持部材を受け入れるための内部凹部を形成する、請求項２２に記載の容器。
【請求項２４】
前記ダイヤフラム、シールまたはメンブレン、および／または、前記支持部材は、クロージャアセンブリの第１の部分を形成し、前記クロージャアセンブリの第１の部分は、前記開口を少なくとも形成する前記容器の一部を形成する前に、前記容器に取り付けられる、請求項１３〜２３のいずれかに記載の容器。
【請求項２５】
前記支持部材は、前記容器に取り付けられているため、前記ダイヤフラム、シールまたはメンブレンは、少なくとも前記ダイヤフラム、シールまたはメンブレンが開封され、前記容器内に取り付けられている場合に、少なくとも前記ダイヤフラム支持部材の下に目視可能であり、開封後の前記ダイヤフラム、シールまたはメンブレンは、該開封がなされたことを示すことが可能である、請求項１３〜２４のいずれかに記載の容器。
【請求項２６】
容器の密封方法であって、ダイヤフラム、シールまたはメンブレン、および／または、ダイヤフラム、シールまたはメンブレン用の支持部材を、前記容器のネック部の中間位置で、該容器の開口と容器の本体との間の位置に配置する、容器の密封方法。
【請求項２７】
前記容器が充填された後、前記容器を密封するためにクロージャアセンブリの第１の部分を第１の取り付け方法で前記容器に取り付け、前記クロージャアセンブリの第１の部分は、前記容器を密封するために、前記ダイヤフラム、シールまたはメンブレン、および／または、前記支持部材を備え、
前記クロージャアセンブリの第２の部分を第２の取り付け方法で前記容器に取り付け、
第１の取り付け方法は、許可された食品用取り付け手段によりなされる、
請求項２６に記載の方法。
【請求項２８】
前記ネック部および前記クロージャアセンブリの第２の部分がガラス製であり、第２の取り付け方法は、前記クロージャアセンブリの第２の部分のガラス接合技術を備え、前記第２の部分が前記ネック部とガラス容器を形成する、請求項２７に記載の方法。
【請求項２９】
さらなる密閉手段を提供するステップをさらに備える、請求項２７または２８のいずれかに記載の方法。
【請求項３０】
本体または部材が、希少性、準希少性、および／または、コレクション性のある部材からなる、容器。
【請求項３１】
前記部材は、前記容器に取り付けられており、前記容器から該部材を除去または分離して該容器が再利用されることが阻止可能である、請求項３０に記載の容器。
【請求項３２】
前記部材は、取り外し不能に前記容器に取り付けまたは固定されている、請求項３０または３１のいずれかに記載の容器。
【請求項３３】
前記部材は、前記容器のコーティング、インサート、アタッチメントおよび／またはクロージャアセンブリを備える、請求項３０〜３２のいずれかに記載の容器。
【請求項３４】
前記容器は、ガラス製ボトルなどのボトルからなる、請求項３０〜３３のいずれかに記載の容器。
【請求項３５】
前記容器はネック部を備え、前記部材は、前記ネック部内あるいは該ネック部上に設けられている、請求項３４に記載の容器。
【請求項３６】
前記部材は、前記ネック部内にリング部材を備える、請求項３０〜３５のいずれかに記載の容器。
【請求項３７】
前記部材は、前記ネック部の外部に取り付けられるスリーブからなる、請求項３０〜３５のいずれかに記載の容器。
【請求項３８】
前記部材は、宝石、希少金属またはこれらの合金、混合物または他の派生物、および／または、準希少金属またはこれらの合金、混合物または他の派生物からなる、請求項３０〜３６のいずれかに記載の容器。
【請求項３９】
前記容器および／または前記部材は、食品用素材からなる、請求項３０〜３６のいずれかに記載の容器。
【請求項４０】
前記部材は、前記容器または前記容器の残部または前記容器の他の素材に対して価値を付与する、請求項３０〜３９のいずれかに記載の容器。
【請求項４１】
前記部材は、プラスチックまたはポリマーからなる、または、プラスチックまたはポリマーに含まれる、請求項３０〜４０のいずれかに記載の容器。
【請求項４２】
前記部材は、ダイヤフラム、シールまたはメンブレンを備える、または、該ダイヤフラム、シールまたはメンブレンに取り付けられるか包含される、請求項３０〜４１のいずれかに記載の容器。
【請求項４３】
容器のネック部に適用されるクロージャアセンブリであって、希少性、準希少性、および／または、コレクション性のある部材からなる、クロージャアセンブリ。
【請求項４４】
前記部材は、前記容器に取り付けられるため、前記部材を前記容器から除去または分離することで前記容器が再利用されることが阻止される、請求項４３に記載のクロージャアセンブリ。
【請求項４５】
前記部材は、前記容器に対して分離不能に取り付けられている、請求項４３に記載のクロージャアセンブリ。
【請求項４６】
請求項１３〜２５のいずれか、および／または、請求項３０〜４２に記載の容器、および／または、請求項４３〜４５のいずれかに記載のクロージャアセンブリに適用される、希少性、準希少性、および／またはコレクション性を有する部材。
【請求項４７】
前記容器のネック部内あるいは前記容器のネック部上に設けられるように構成されている、請求項４６に記載の部材。
【請求項４８】
前記容器に取り付けられるまたは含まれるように構成されており、該容器に損傷を与えることによってのみ、前記容器から分離可能または取り外し可能であって、前記容器の再利用を不能とする、請求項４６または４７に記載の部材。
【請求項４９】
前記容器に対して分離不能に取り付けられている、請求項４６または４７に記載の部材。
【請求項５０】
りングまたはディスクまたはスリーブ、および、ダイヤフラム、シールまたはメンブレンの少なくとも１つを備える、請求項４６〜４９に記載の部材。
【請求項５１】
ダイヤフラム、シールまたはメンブレンを備える容器と、
前記ダイヤフラム、シールまたはメンブレンを開封させて前記容器を開封するための細長い部材と
を備える、キット。
【請求項５２】
前記容器は、請求項１〜１１のいずれかに記載のダイヤフラム、シールまたはメンブレンを備え、および／または、請求項１〜１１のいずれかに記載のダイヤフラム、シールまたはメンブレン用の支持部材を備え、かつ、請求項１３〜２５または３０〜４２のいずれかに記載の容器からなる、請求項５１に記載のキット。
【請求項５３】
前記細長い部材は、ハンドルおよびブレードを備える、請求項５１または５２に記載のキット。
【請求項５４】
前記キットは、さらなる密閉手段を備える、請求項５１〜５３のいずれかに記載のキット。
【請求項５５】
前記キットは、箱中に備えられている、請求項５１〜５４のいずれかに記載のキット。
【請求項５６】
前記容器の開口と前記容器の本体との間に配置された前記ダイヤフラム、シールまたはメンブレンを、前記細長い部材で開封することからなる、請求項１３〜２５または３０〜４２のいずれかに記載の容器を開封する方法。
【請求項５７】
前記細長い部材で、前記ダイヤフラム、シールまたはメンブレンを開封する前に、さらなる密閉手段を前記容器の開口から取り除く先行ステップをさらに備える、請求項５６に記載の方法。
【請求項５８】
前記容器を再密閉するために、前記細長い部材で前記ダイヤフラム、シールまたはメンブレンを開封した後、前記さらなる密閉手段を前記開口に嵌めるステップをさらに備える、請求項５６または５７に記載の方法。
【発明の詳細な説明】
【技術分野】
【０００１】
本発明は、密封器具、密封装置、および密封方法に関する。本発明は、ダイヤフラム、シール、あるいはメンブレンにも関する。特に、本発明は、液体容器などの容器用の密封に関する。さらに、本発明は、スピリッツあるいはリカー、特に、プレミアムスピリッツあるいはプレミアムリカーに用いられる容器あるいはボトルなどの容器にも関する。
【背景技術】
【０００２】
異なる液体を収容するために、さまざまなタイプの容器が存在する。環境への懸念から、容器のリユースおよび／またはリサイクルが奨励されている。しかしながら、液体用容器を再利用することが常に望ましいとは限らない。例えば、容器の内容物の安全性あるいは真正性が、容器に元々収容されていたものから逸脱しているような場合には、再利用を防防止あるいは回避することが好ましい。さもなければ、再利用された容器の内容物について誤った認識がなされる可能性がある。例えば、オリジナルの容器に収容されて販売されたアルコール飲料（例えば、スピリッツあるいはリカー）であれば、その安全性、品質および真正性は十分に保証される。しかしながら、もしそのような容器が、その後、原出所とは異なる出所のものに詰め替えられると、詰め替えられた容器の真正性、品質あるいは安全性は保証されなくなり、詰め替えられた容器の潜在的なユーザあるいは需要者に対して、誤った真正性、品質および安全性を示すことになる。したがって、偽造者などによるそのような不正な再利用は、本物のオリジナル飲料の売り上げ、および／または、需要者あるいはユーザの安全性あるいは楽しみ、および／または、オリジナルの容器の本物のブランドあるいは出所の評判に悪影響を与えかねない。
【０００３】
このような容器の詰め替えを防止しあるいは阻害し、オリジナルの容器の再利用の機会を低減させるために、さまざまな容器あるいはクロージャ（栓）が開発されてきた。そのようなクロージャは、引裂帯などのタンパーエビデンス手段、および／または、バルブ手段などの詰替を不能とする手段、および／または、回旋状の液体排出流路を備える。例えば、容器の詰め替えを阻害し、あるいはオリジナルの内容物が希釈または汚染または混合されることを阻止するために、容器への液体の浸入を防ぎながら、容器の液体内容物を排出あるいは放出を可能にする一方通行のクロージャを備えた容器が存在する。そのようなクロージャまたは器具は、一般的には、詰替不能器具、詰替不可システム、または「ＮＲ」と呼ばれる。
【０００４】
なお、この背景技術の欄は、当業者が、以下の説明をより良く理解できるようにするためのものである。したがって、上記の内容が、現在の技術水準または一般的な知識の一部を提示するものとして、解釈されるべきではない。
【発明の概要】
【発明が解決しようとする課題】
【０００５】
本発明の少なくとも１つの態様の少なくとも１つの実施形態の目的は、従来技術の１つ以上の課題および／または欠点を解消する、あるいは、少なくとも軽減することにある。
【課題を解決するための手段】
【０００６】
本発明の第１の態様に係るクロージャアセンブリあるいは密封装置は、液体用容器などの容器の開口部またはネック部に適用される。
【０００７】
前記アセンブリは、第１の本体部分を備える。前記アセンブリは、第１の本体部分と前記液体用容器との間に配置されるタンパーエビデンス部材を備える。前記タンパーエビデンス部材は、前記クロージャアセンブリが初めて開封される前に、前記容器および／または第２の本体部分に対する第１の本体部分の位置を維持するように構成される。
【０００８】
この構成により、前記タンパーエビデンス部材は、その撤去前において、前記クロージャアセンブリの構造の一部として機能する。
【０００９】
前記タンパーエビデンス部材は、引裂帯を備える。前記タンパーエビデンス部材は、前記クロージャアセンブリおよび／または前記容器の少なくとも一部の周方向に伸長するように構成される。
【００１０】
前記タンパーエビデンス部材は、前記容器および／または第２の本体部分に対して、第１の本体部分の長手方向または軸方向の位置を維持するように構成される。
【００１１】
前記タンパーエビデンス部材は、前記容器および／または第２の本体部分に対し、第１の本体部分の周方向または径方向の位置を維持するように構成される。
【００１２】
前記タンパーエビデンス部材は、軸方向の荷重などの荷重が第１の本体部分に課せられた場合に、前記容器および／または第２の本体部分に対し、第１の本体部分の位置を維持するように構成される。
【００１３】
前記タンパーエビデンス部材は、第１の本体部分に掛かる衝撃荷重を少なくとも部分的に吸収および／または移動させるように構成される。
【００１４】
前記タンパーエビデンス部材は、前記クロージャアセンブリが初めて開封される前に、前記容器および／または第２の本体部分に対し、第１の本体部分の移動を防止あるいは阻止しようとするように構成される。例えば、前記タンパーエビデンス部材は、前記容器および／または第２の本体部分に向かって、および／または第２の本体部分から離れるように、第１の本体部分が移動することを防止または阻止しようとするように構成される。
【００１５】
第１の本体部分は、第１のスリーブまたはスリーブ部分などの第１の円筒部材またはキャップを備える。
【００１６】
第２の本体部分は、第２のスリーブまたはスリーブ部分などの第２の円筒部材を備える。
【００１７】
前記タンパーエビデンス部材は、構造部材を備える。
【００１８】
前記タンパーエビデンス部材は、第３のスリーブまたはスリーブ部分などの第３の円筒部材を備える。
【００１９】
前記タンパーエビデンス部材は、前記クロージャアセンブリに対して、軸方向または長手方向の剛性などの剛性を付与するように構成される。
【００２０】
前記タンパーエビデンス部材は、スティフナを備える。
【００２１】
前記タンパーエビデンス部材は、アクセスタブを備える。
【００２２】
前記タンパーエビデンス部材は、リング部材を備える。
【００２３】
前記タンパーエビデンス部材は、スペーサを備える。
【００２４】
前記タンパーエビデンス部材は、再構成可能である。
【００２５】
前記タンパーエビデンス部材は、取り外し可能あるいは少なくとも部分的に取り外し可能である。
【００２６】
前記タンパーエビデンス部材は、破損しやすい部材を備える。
【００２７】
前記タンパーエビデンス部材は、第１の本体および／または第２の本体部分（例えば、第１の本体および／または第２の本体の第１および／または第２の周方向端部のそれぞれの周辺あるいは隣接部分など）に破損可能に取り付けられる。前記タンパーエビデンス部材は、前記容器に、例えば破損可能に、取り付けられる。
【００２８】
前記タンパーエビデンス部材は、剛性を有する部材を備える。
【００２９】
前記タンパーエビデンス部材は、強度および／または剛性および／または断面積および／または厚さを可変とすることができる。前記タンパーエビデンス部材は、その長さ（前記タンパーエビデンス部材の周囲など）に沿って、強度および／または剛性および／または断面積および／または厚さを可変とすることができる。
【００３０】
前記タンパーエビデンス部材は、開封前に前記容器および／または第２の本体部分に対して第１の本体部分を配置または間隔をあけるための単一または唯一の手段を備える。
【００３１】
前記クロージャアセンブリは、第１の状態に向けて第１の本体部分にバイアスを掛けるためのバイアス手段を備える。
【００３２】
前記クロージャアセンブリは、ダイヤフラムまたはシールの切断、穴開け、貫通、除去または変位手段を備える。
【００３３】
前記クロージャアセンブリは、例えば容器の開口部またはネック部にある前記クロージャアセンブリの少なくとも一部を保持する手段を備える。
【００３４】
本発明の第２の態様においては、希少性あるいは準希少性またはコレクション性のある材料を備えた本体または部品または部材からなる液体用容器などの容器が提供される。
【００３５】
前記希少性あるいは準希少性またはコレクション性のある材料は、前記容器の初回開封後または使用後に、リユース価値よりも高いリサイクル価値をもたらすように構成される。このようにすることで、オリジナルの容器を用いた不正使用の機会が低減される。
【００３６】
前記希少性あるいは準希少性またはコレクション性のある材料は、前記容器に取り付けまたは固定されて、前記希少性あるいは準希少性またはコレクション性のある材料が前記容器から除去または分離されて、前記容器が再利用されることを実質的に防止する。
【００３７】
前記希少性あるいは準希少性またはコレクション性のある材料は、前記容器に対して分離不可能に取り付けまたは固定される。前記希少性あるいは準希少性またはコレクション性のある材料は、実質的に恒久的に前記容器に対して接着される。前記希少性あるいは準希少性またはコレクション性のある材料は、前記容器に溶接または溶着または接着される。
【００３８】
前記希少性あるいは準希少性またはコレクション性のある材料は、前記容器および／またはクロージャアセンブリのコーティングまたはインサートまたはアタッチメントを備える。
【００３９】
前記容器は、開口部またはネック部を備える。
【００４０】
前記容器は、例えばアルコール飲料用のガラス製ボトルなどのボトルからなる。前記アルコール飲料は、スピリッツあるいはリカー（例えば、ウィスキーまたはスコッチウィスキーなどのプレミアムスピリッツまたはプレミアムリカーなど）からなる。
【００４１】
前記希少性あるいは準希少性またはコレクション性のある材料または部材は、前記容器の前記開口部またはネック部に設けられる。
【００４２】
前記開口部またはネック部は、例えば、その内側および／または外側において円筒状である。
【００４３】
前記希少性あるいは準希少性またはコレクション性のある材料は、環状部材を備える。
【００４４】
前記環状部材は、実質的に円形の内周および／または外周、面、縁あるいは輪郭を備える。例えば、前記環状部材は、リングを備える。
【００４５】
前記環状部材は、実質的に長円形の内周および／または外周、面、縁あるいは輪郭を備える。前記環状部材は、実質的に多角形（例えば、正方形、三角形、八角形など）の内周および／または外周、面、縁あるいは輪郭を備える。前記希少性あるいは準希少性またはコレクション性のある材料は、希少または準希少な宝石または金、銀、プラチナなどの希少金属、またはこれらの合金、混合物または他の派生物などの従来の希少または準希少材料により構成され、および／または、黄銅、しろめ、スチール、ニッケルなどの準希少金属、またはこれらの合金、混合物または他の派生物により構成される。
【００４６】
前記希少または準希少な収集可能な材料は、プラスチックなどの従来は希少または準希少とはされなかった材料によって構成することもできる。前記希少または準希少な材料の価値または希少性は、素材でない側面に由来する場合もある。例えば、前記コレクション性を備えた材料の希少性などは、限定フォルムや限定色などの限定版とされることによってもたらされる。
【００４７】
前記希少性あるいは準希少性またはコレクション性のある材料は、前記容器または前記容器の残部または前記容器の他の素材に対して、実質的な価値をもたらす。
【００４８】
前記希少性あるいは準希少性またはコレクション性のある材料は、プラスチックまたはポリマーを用い形成されるか、これら自体により構成される。例えば、ＰＥＴなどの容器など、プラスチック製品または加工品の製造のために用いられるマスターバッチに、添加物として加えられる。
【００４９】
前記希少性あるいは準希少性またはコレクション性のある材料または部材は、ダイヤフラム、メンブレンまたはシールを備える、またはこれらに取り付けられる、またはこれらに機能的に付属される。
【００５０】
前記クロージャアセンブリは、前記クロージャアセンブリを前記容器の上または前記容器に設置または取り付ける前に組み立てられる。前記クロージャアセンブリは、実質的に完全に予め組み立てられる。前記プリアセンブリは、前記準希少部品または部材またはコレクション性のある材料および／または前記ダイヤフラムまたはシールを含む。
【００５１】
前記クロージャアセンブリは、実質的に単一ユニットとして前記容器内または前記容器上または前記容器に設置または取り付けられる。前記クロージャアセンブリは、実質的に一体的に前記容器内または前記容器上または前記容器に実質的に完全に設置または取り付けられる。前記クロージャアセンブリは、実質的に単一の工程で、前記容器内または前記容器上または前記容器に設置または取り付けられる。前記クロージャアセンブリは、前記容器内または前記容器上または前記容器に設置または取り付けられることにより、前記容器を密封する、または少なくとも前記容器を少なくとも部分的に密封する。
【００５２】
あるいは、前記クロージャアセンブリは、前記クロージャアセンブリの少なくとも一部を前記容器内または前記容器上または前記容器に設置または取り付けた後に組み立てられる。例えば、前記準希少部品または部材またはコレクション性のある材料および／または前記ダイヤフラムまたはシールは、前記クロージャアセンブリの１つ以上の他の部分の設置または取り付けの前後に、前記容器内または前記容器上または前記容器に設置または取り付けられる。
【００５３】
本発明の第３の態様に係るクロージャアセンブリは、液体用容器などの容器の開口部またはネック部に適用される、希少性あるいは準希少性またはコレクション性のある材料からなる前記アセンブリからなる。
【００５４】
前記希少性あるいは準希少性またはコレクション性のある材料は、前記容器に取り付けられるように構成されているため、前記希少性あるいは準希少性またはコレクション性のある材料を前記容器から除去または分離して、前記容器を再利用しようとすることを実質的に防止する。
【００５５】
前記希少性あるいは準希少性またはコレクション性のある材料は、分離不可能に前記容器に取り付けられる。前記希少性あるいは準希少性またはコレクション性のある材料は、実質的に恒久的に前記容器に対して接着される。前記希少性あるいは準希少性またはコレクション性のある材料は、前記容器に溶接または溶着される。
【００５６】
本発明の第４の態様においては、本発明の第２の態様における前記容器内または前記容器上において使用される、および／または、本発明の第１および／または第３の態様における前記クロージャアセンブリにおいて使用される、希少性あるいは準希少性を備えた部品または部材が提供される。
【００５７】
前記希少または準希少部品または部材は、前記容器の開口部またはネック部内あるいは前記容器の開口部またはネック部上に設けられるように構成される。前記希少性あるいは準希少性を備えた部品または部材は、前記容器に取り付けられるように構成され、前記希少性あるいは準希少性を備えた部品または部材は前記容器に損傷を与えることのみによって前記容器から取り外し可能または分離可能となり、前記容器は実質的に再利用不能となる。
【００５８】
前記希少性あるいは準希少性を備えた部品または部材は、前記容器に対して分離不能に取り付けられる。前記希少性あるいは準希少性を備えた部品または部材は、実質的に恒久的に前記容器に対して接着される。前記希少性あるいは準希少性を備えた部品または部材は、前記容器に溶接または融合するように構成される。
【００５９】
前記希少性あるいは準希少性を備えた部品または部材は、例えば容器の開口部またはネック部内あるいは容器の開口部またはネック部上に設けられるリングまたはディスクを備える。
【００６０】
前記希少性あるいは準希少性を備えた部品または部材は、例えば、初回開封時に破損するように構成された壊れやすいダイヤフラムを備える。
【００６１】
本発明の第５の態様においては、コレクション性のある材料からなる本体または部品または部材からなる液体用容器などの容器が提供される。
【００６２】
前記コレクション性のある材料は、前記容器の初回開封後または使用後に、再利用価値よりも高い回収価値またはリサイクル価値をもたらすように構成される。このようにすることで、オリジナルの容器を用いた不正使用の機会が低減される。
【００６３】
前記コレクション性のある材料は、前記容器に取り付けまたは固定されて、前記コレクション性のある材料を前記容器から除去または分離して、前記容器が再利用されることを実質的に防止する。
【００６４】
前記収集可能な素材は、前記容器に分離不可能に取り付けまたは固定される。前記コレクション性のある材料は、実質的に恒久的に前記容器に対して接着される。前記コレクション性のある材料は、前記容器に溶接または溶着または接着される。
【００６５】
前記容器は、開口部またはネック部を備える。
【００６６】
前記容器は、例えばスピリッツあるいはリカー用などのガラス製ボトルからなる。
【００６７】
前記コレクション性のある材料は、前記容器の開口部またはネック部内あるいは前記容器の開口部またはネック部上に設けられる。
【００６８】
前記開口部またはネック部は、例えばその内側および／または外側において円筒状である。
【００６９】
前記コレクション性のある材料は、リングまたは環状部材を備える。
【００７０】
前記コレクション性のある材料は、希少性または準希少性のある材料からなる。前記コレクション性のある材料は、希少性または準希少性のある宝石、または金、銀、プラチナなどの希少金属、またはこれらの合金、混合物または他の派生物などの従来の希少または準希少材料から形成され、および／または黄銅、しろめ、スチール、ニッケルなどの準希少金属、またはこれらの合金、混合物または他の派生物から作られる。
【００７１】
前記コレクション性のある材料は、プラスチックなど、従来は希少材料または準希少材料として取り扱われなかった材料から作られることもできる。例えば、前記希少性または準希少性のある材料は、前記容器から分離された場合に、それ自体で相対的なリサイクル価値および／または再利用価値を備える。
【００７２】
前記コレクション性のある材料価値または希少性は、素材でない側面に由来する場合もある。例えば、前記コレクション性のある材料は限定フォルムや限定色などの限定版により構成される。
【００７３】
前記コレクション性のある材料前記容器または前記容器の残りまたは前記容器の他の材料に対して実質的な価値をもたらす。
【００７４】
前記コレクション性のある材料は、実質的に価値のないまたは非希少の材料により構成することもできるが、このような材料により形成される場合、前記コレクション性のある材料は、プラスチックまたはポリマーにより形成される、あるいは、これらから構成される（例えば、ＰＥＴなどの容器など、プラスチック製品または加工品の製造のために、マスターバッチに添加物として加えられる）。
【００７５】
前記コレクション性のある材料は、ダイヤフラムまたはシールを備える、またはこれらに取り付けられる、またはこれらに機能的に付属される。
【００７６】
本発明の第６の態様に係るクロージャアセンブリは、液体用容器などの容器の開口部またはネック部に適用される、コレクション性のある材料からなる。
【００７７】
前記コレクション性のある材料は、前記容器に取り付けられ、前記容器から前記コレクション性のある材料を除去または分離して、前記容器が再利用されることを実質的に防止する。
【００７８】
前記コレクション性のある材料は分離不可能に前記容器に取り付けられる。前記コレクション性のある材料は、実質的に恒久的に前記容器に対して接着される。前記コレクション性のある材料前記容器に溶接または溶着される。
【００７９】
本発明の第７の態様においては、本発明の第２および／または第５の態様の前記容器内または前記容器上において、および／または、第１および／または第３および／または第６の態様のクロージャアセンブリにおいて使用される、コレクション性のある材料が提供される。
【００８０】
前記コレクション性のある材料は、前記容器の開口部またはネック部内あるいは前記容器の開口部またはネック部上に設けられるように構成される。前記コレクション性のある材料は、前記容器に取り付けられ、および／または前記容器内に備えられるように構成され、前記コレクション性のある材料は、前記容器に損傷を与えることのみによって前記容器から分離可能となるため、前記容器は実質的に再利用不能となる。
【００８１】
前記コレクション性のある材料は、前記容器に対して分離不能に取り付けられるように構成される。前記コレクション性のある材料は、実質的に恒久的に前記容器に対してように構成される。前記コレクション性のある材料は、前記容器に溶接または溶着するように構成される。
【００８２】
前記コレクション性のある材料は、例えば容器の開口部またはネック部内あるいは容器の開口部またはネック部上に設けられるリングまたはディスクを備える。
【００８３】
前記コレクション性のある材料は、例えば、初回開封時に破損するように構成された壊れやすいダイヤフラムを備える。
【００８４】
前記コレクション性のある材料は、希少性または準希少性のある材料からなる。
【００８５】
本発明の第８の態様に係るクロージャアセンブリは、液体用容器などの容器の開口部またはネック部に適用される。
【００８６】
第１の本体部分を備える前記アセンブリは、開封の初期または第１段階において、第１の方向に回転または回転可能に構成され、開封後または第２段階において、第２または反対の方向に回転または回転可能に構成される。
【００８７】
前記開封は、前記容器の初回または第１回目の開封からなる。
【００８８】
第１の本体部分は、前記クロージャアセンブリまたは容器の初回開封時において第２の本体部分および／または前記容器に関して軸方向に移動可能である。
【００８９】
前記開封の初期または第１段階および／または前記開封後または第２段階は、前記容器または装置またはクロージャアセンブリを初めて開封するため、前記容器および／または第２の本体部分に関する第１の本体部分の軸方向の移動により構成される。前記開封の初期または第１段階は、第１の軸方向移動からなる。前記開封後または第２段階は、第２またはさらなる軸方向の移動により構成される。
【００９０】
前記開封後または第２段階は、リンクし、組み合わさり、一体的または同時に起こる第１および第２の本体部分の軸方向および／または回転移動など、軸方向移動および／または前記容器に関する第１の本体部分および第２の本体部分の回転移動により構成される。
【００９１】
前記アセンブリまたは容器を初めて開封するための前記容器および／または第２の本体部分に対する第１の本体部分の軸方向移動は、同一の第１の軸方向に起こる。前記アセンブリまたは容器を初めて開封するための前記容器および／または第２の本体部分に対する第１の本体部分の軸方向移動は、前記容器に向かって生じる。
【００９２】
第２の本体部分は、使用の際には、第１の本体部分よりも前記容器に軸方向に近接する。前記容器は、前記開口部またはネック部から前記容器の底面または本体またはチャンバに向かって第１の軸方向を定義する。前記容器は、前記容器の底面または本体またはチャンバから前記開口部またはネック部に向かって第２の軸方向を定義する。第２の本体部分は、使用の際には、第１の本体部分よりも、前記容器の底面または本体またはチャンバに軸方向に近接する。
【００９３】
前記クロージャアセンブリは、前記開封の第２段階に続いて容器の前記開口部またはネック部から除去または少なくとも部分的に除去されるように構成される。第１および／または第２の本体部分は、前記開封の第２段階の後、前記容器の開口部またはネック部から第２の軸方向に取り外し可能である。第２の軸方向は、第１の軸方向とは実質的に反対である。
【００９４】
前記クロージャアセンブリは、前記容器から前記クロージャアセンブリの少なくとも一部または実質的な部分を少なくとも部分的に分離する分離可能な接続を備える。前記分離可能な接続は、壊れやすい接続部を備える。前記分離可能な接続は、内部に設置、配置、または位置する。例えば、前記分離可能な接続は、例えば、前記分離可能な接続は、アクセス、視認または接触から、遮蔽、保護または覆われ、前記クロージャアセンブリの一部および／または前記容器の一部によって遮蔽、保護または覆われる。前記分離可能な接続は、前記容器の中身の通路または流路内に設置される。前記分離可能な接続は、前記容器の開口部またはネック部内またはこの中および／または前記クロージャアセンブリの隣接する開口部またはネック部内またはこの中に配置される。前記クロージャアセンブリは、前記容器を初めて開封する際の前記開封後または第２段階の間、前記分離可能な接続を分離するように構成される。
【００９５】
本発明の第９の態様においては、液体用容器などの容器を開封する方法が提供される。
【００９６】
前記方法は、
前記容器および／または第２の本体部分に向かって、クロージャアセンブリの第１の本体部分に軸方向に力を加え、第１の本体部分を前記容器および／または第２の本体部分に向かって前進させるために、第１の本体部分を前記容器および／または第２の本体部分に対して第１の方向に回転させ、
前記容器および／または第２の本体部分に向かって、前記クロージャアセンブリの第１の本体部分に軸方向に力を加え、第１の本体部分を前記容器および／または第２の本体部分に向かって前進させるために、前記容器および／または第２の本体部分に対して第２の方向に回転させる工程からなる。
【００９７】
前記方法は、第１の本体部分を前記容器および／または第２の本体部分に向かって軸方向に前進させることからなる。
【００９８】
前記方法は、開封の第１または初期段階の間、第１の本体部分を第１の方向に回転させることからなる。前記方法は、開封後または第２段階の間、第１の本体部分を第２の方向に回転させることからなる。
【００９９】
前記方法は、前記容器の開口部またはネック部から第１の本体部分の少なくとも一部を少なくとも部分的に除去することからなる。前記方法は、第１の本体部分の少なくとも一部を前記容器の開口部またはネック部から軸方向に少なくとも部分的に除去することからなる。前記方法は、前記容器の開口部またはネック部から第１の本体部分の少なくとも一部を軸方向（第１または初期段階および／または前記開封後または第２段階の間、前記前進方向とは実質的に反対方向）に少なくとも部分的に除去することからなる。
【０１００】
前記方法は、実質的に新しいまたは異なるクロージャアセンブリ、あるいは、少なくとも実質的に異なるまたは新しい第１の本体部分によって前記容器を再密封することからなる。
【０１０１】
本発明の第１０の態様に係るクロージャアセンブリは、液体用容器などの容器の開口部またはネック部分に適用される。
【０１０２】
前記アセンブリは、密封された容器の形状に対応する第１の状態から、開封された容器の形状に対応する第２の状態へ再構成可能であり、前記アセンブリは、第２の状態から第１の状態への再構成は不可能である。
【０１０３】
前記クロージャアセンブリは、再密封に適していない。再密封は、シールをし直すことからなる。
【０１０４】
前記クロージャアセンブリの少なくとも一部は、前記容器の開口部またはネック部内またはこの中に適用するように構成される。
【０１０５】
前記アセンブリは、実質的に道具を使用することなく、前記容器の開口部またはネック部から除去または少なくとも部分的に除去されるように構成される。前記アセンブリは、前記容器の開口部またはネック部から手動で開封または除去される、または少なくとも部分的に除去されるように構成される。
【０１０６】
第２の状態は、予め定められた形状またはフォルムまたは配置からなる。
【０１０７】
前記アセンブリは、少なくとも部分的に除去されるが、再度適用または再度挿入されることはできない（固定可能および／または密封するように再度挿入または再度適用されることはできない）ように構成される。
【０１０８】
第１の状態は、伸長した形状または長手方向に伸長した形状からなる。
【０１０９】
第２の状態は、短縮または圧縮された形状または長手方向に圧縮された形状からなる。
【０１１０】
第１の状態は、実質的に開封されたアセンブリの形状に対応する。
【０１１１】
第２の状態は、実質的に密封されたアセンブリの形状に対応する。
【０１１２】
前記アセンブリは、少なくとも２つの比較的移動可能な部分、要素または部材を備える。前記比較的移動可能な部分は、第１および／または第２の本体部分を備える。
【０１１３】
前記アセンブリは、第２の状態から第１の状態への再構成を防止するために、ロック部材または手段を備える。前記ロック部材または手段は、ドッグ、および／またはラッチ、および／またはバヨネット結合などの相互係合装置、および／またはブロウ・キーなどのキーなどのうち少なくとも１つを備える。
【０１１４】
前記アセンブリは、第２の状態におけるスクリューヘッドの再利用を防ぐように構成される。前記スクリューヘッドは、前記アセンブリが第１の状態から第２の状態に再構成することを少なくとも補助するように構成される。
【０１１５】
複数のスクリューヘッドが存在する。例えば、複数の左回りおよび／または右回りのスクリューヘッドが存在する。
【０１１６】
前記アセンブリは、第１の本体部分を前記容器に関して第１の位置に移動させ、および／または第２の本体部分を前記容器に関して第２の位置に移動させることにより再構成することができる。前記アセンブリは、第１の位置から第２の位置へ移動するために、第１および任意で第２の回転方向に軸方向に移動および／または回転するように構成される。
【０１１７】
前記アセンブリは、開封の初期または第１段階の間に第１の回転方向に回転すると共に、第１の軸方向に軸方向に移動するように構成され、第１の距離または空間または間隔が実質的に低減するように構成される。前記アセンブリは、開封後または第２段階の間に第２の回転方向に回転すると共に、第１の軸方向に軸方向に移動するように構成され、第２の距離または空間または間隔が実質的に低減するように構成される。
【０１１８】
前記アセンブリは、開封の初期または第１段階の間に、第１のスクリューヘッドを第１の回転方向に回して係合させるための第１のスクリューヘッドまたは第１の係合要素を備える。前記アセンブリは、開封後または第２段階の間に、第２のスクリューヘッドを第２の回転方向に回して係合させるための第２のスクリューヘッドまたは第２の係合要素を備える。第１および／または第２の係合要素は、１つ以上の凸部および／または凹部（例えば、ピンおよび／またはスロット）を備える。第１の係合要素は、第２の係合要素を備える。例えば、前記１つ以上の凸部および／または凹部は、第１および第２のスクリューヘッドに係合するのに適する、および／または、係合するように構成されている。
【０１１９】
前記アセンブリは、前記スクリューヘッドおよび／または係合要素を備える。前記スクリューヘッドおよび／または係合要素は、前記アセンブリと共に取り外し可能あるいは少なくとも部分的に取り外し可能である。
【０１２０】
第１および／または第２の距離または空間または間隔は、第１の本体部分と前記容器および／または第２の本体部分との間にある間隔または距離または空間の少なくとも一部を備える。
【０１２１】
第１および／または第２の距離または空間または間隔は、第２の本体部分と前記容器および／または第１の本体部分との間にある間隔または距離または空間の少なくとも一部を備える。
【０１２２】
第１および／または第２の距離または空間または間隔は、前記タンパーエビデンス部材によって形成される（前記タンパーエビデンス部材の操作および／または少なくとも部分的に前記タンパーエビデンス部材を除去する前において、前記タンパーエビデンス部材によって形成される）間隔または距離または空間の少なくとも一部を備える。
【０１２３】
本発明の第１１の態様においては、クロージャアセンブリおよび／または希少性あるいは準希少性を備えた部品または部材および／または他の形態のコレクション性のある材料からなる容器が提供される。
【０１２４】
好ましくは、さらなる密閉手段が提供される。前記容器を初めて開封した後に前記容器を密閉するために、例えば、ストッパー、リッドまたはトップ（例えばコルク）が提供される。前記さらなる密閉手段は、前記クロージャアセンブリの除去後（例えば、前記クロージャアセンブリにより初めて開封した後）に使用するために提供される。前記クロージャアセンブリおよび／または容器を第１または初期の形状（例えば、初めて開封される前）から第２または開封後の形状（例えば、初めて開封する間または後）に再構成することにより、前記クロージャアセンブリによる前記クロージャアセンブリの再密封および／または前記容器の再密封が不可能となる。
【０１２５】
本発明の第１２の態様においては、液体用容器などの容器内または容器上または容器に対してクロージャアセンブリを設置または取り付ける方法が提供される。
【０１２６】
前記方法は、前記容器内または前記容器上または前記容器に前記クロージャアセンブリを設置または取り付ける前に、前記クロージャアセンブリを予め組み立てることからなる。
【０１２７】
前記方法は、前記容器が充填された後などに前記容器を密封するために、前記クロージャアセンブリの第１の部分を前記容器に取り付けまたは設置することからなる。充填後に前記容器の容積が必ずしも完全に埋まるわけではないため、前記容器を充填することは、前記容器を部分的に充填することで十分である（例えば、前記容器が液体で充填された場合、前記容器の一部は液体で満たされずに残るため、ガス部分が液体中の圧力変化および／または充填耐性を無駄なく調節することを可能にする）。前記容器は、例えば液体で充填され、その後、前記クロージャアセンブリの第１の部分によってシールされ密封される。前記クロージャアセンブリの第１の部分の取り付けまたは設置は、第１の取り付けまたは設置方法からなる。第１の取り付けまたは設置方法は、前記容器の内容物に適合する方法からなる。例えば、前記容器が食料品で充填された場合、前記クロージャアセンブリの第１の部分の取り付けまたは設置方法は、食品用接着剤などの許可された手段からなる。
【０１２８】
前記方法は、前記クロージャアセンブリまたは密封装置を実質的に完全に予め組み立てることからなる。前記クロージャアセンブリを予め実質的に組み立てることは、準希少部品または部材またはコレクション性のある材料および／またはダイヤフラムまたはシールを、前記クロージャアセンブリ内または前記クロージャアセンブリ上または前記クロージャアセンブリに対し組み立てることを含む。
【０１２９】
前記方法は、前記クロージャアセンブリを前記容器内または前記容器上または前記容器に対し実質的に単一ユニットとして設置または取り付けることからなる。前記方法は、前記クロージャアセンブリを、前記容器内または前記容器上または前記容器に対して、一体的かつ実質的に完全に設置または取り付けることからなる。前記方法は、前記クロージャアセンブリを前記容器内または前記容器上または前記容器に対し実質的に一段階で設置または取り付けることからなる。前記方法は、前記容器を密封または少なくとも同時に前記容器を少なくとも部分的に密封するために、前記クロージャアセンブリを前記容器内または前記容器上または前記容器に対し設置または取り付けることからなる。
【０１３０】
あるいは、前記方法は、前記クロージャアセンブリの少なくとも一部を前記容器内または前記容器上または前記容器に対し設置または取り付けた後に、完全に組み立てるなど、前記クロージャアセンブリまたは器具を組み立てることからなる。例えば、前記方法は、前記容器内または前記容器上または前記容器に対して、前記クロージャアセンブリの１つ以上の他の部分を設置または取り付ける前または後に、前記容器内または前記容器上または前記容器に対して、前記準希少部品または部材またはコレクション性のある材料および／または前記ダイヤフラムまたはシールを設置または取り付けることからなる。
【０１３１】
本発明の第１３の態様においては、ダイヤフラム、シールまたはメンブレンおよび／または液体用容器などの容器内または容器上に取り付けるためのダイヤフラム、シールまたはメンブレン用のダイヤフラム支持部材が提供される。
【０１３２】
前記ダイヤフラム、シールまたはメンブレンおよび／または前記ダイヤフラム、シールまたはメンブレン用のダイヤフラム支持部材は、容器の開口部またはネック部内またはこの上に取り付けられるように構成される。例えば、前記ダイヤフラム、シールまたはメンブレンおよび／または前記ダイヤフラム、シールまたはメンブレン用のダイヤフラム支持部材は、容器の開口部またはネック部内に取り付けられるように構成される。
【０１３３】
前記ダイヤフラム、シールまたはメンブレンは、初回開封時に破損するように構成されるなどした破壊されやすい材質のダイヤフラムを備える。
【０１３４】
前記ダイヤフラム支持部材は、希少性あるいは準希少性またはコレクション性のある材料からなる。
【０１３５】
前記ダイヤフラム支持部材は、リング、楕円環状または長方形の環状部材などの環状部材を備える。
【０１３６】
前記ダイヤフラム支持部材および／または前記ダイヤフラム、メンブレンまたはシールは、前記容器および／またはクロージャの開口部または出口から間隔をおくように構成される。前記ダイヤフラム支持部材および／または前記ダイヤフラム、メンブレンまたはシールは、容器の開口部またはネック部に少なくとも部分的に挿入されるインサートを備える。
【０１３７】
前記ダイヤフラム支持部材および／または前記ダイヤフラム、シールまたはメンブレンは、容器の首または口部の流路または貫通孔内に取り付けられるように構成される。前記ダイヤフラム支持部材および前記ダイヤフラム、シールまたはメンブレンは、容器の開口部またはネック部の流路または貫通孔内に取り付けられるように構成される。前記ダイヤフラム支持部材および前記ダイヤフラム、シールまたはメンブレンは、容器の開口部またはネック部の流路または貫通孔内の凹部内に設置されるように構成される。前記ダイヤフラム支持部材および前記ダイヤフラム、シールまたはメンブレンは、液体の出口の上流または前記容器および／またはクロージャからの出口に取り付けられるように構成される。前記ダイヤフラム支持部材および前記ダイヤフラム、シールまたはメンブレンは、容器の出口または前記容器および／またはクロージャからの開口から軸方向に変位して取り付けられるように構成される。前記軸方向の変位は、液体を収容している本体など、前記容器の底面または本体またはチャンバに向かうものである。
【０１３８】
前記ダイヤフラム支持部材および／または前記ダイヤフラム、シールまたはメンブレンは、前記容器に対して実質的に分離不能に取り付けられるまたは接着されるまたは一体化される。
【０１３９】
前記ダイヤフラム支持部材および／または前記ダイヤフラム、シールまたはメンブレンは、前記容器内または前記容器上に取り付けられる前に組み立てられる。前記ダイヤフラム支持部材および／または前記ダイヤフラム、シールまたはメンブレンは、前記容器内または前記容器上に実質的に一体的なユニットまたは装置として取り付けられるように構成される。前記ダイヤフラム支持部材および／または前記ダイヤフラム、シールまたはメンブレンは、前記容器を密封するために前記容器内または前記容器上に一体的に取り付けられるように構成される。
【０１４０】
本発明の第１４の態様においては、液体用のガラス容器などの容器が提供される。前記容器は、液体を収容するための本体またはチャンバを備える。前記容器は、前記容器の本体またはチャンバに液体を流入させるおよび／または前記容器の本体またはチャンバから液体を排出させるための開口を備える。前記容器は、前記開口と前記本体またはチャンバとの間にネック部を備える。
【０１４１】
前記容器は、前記ネック部に取り付けられたダイヤフラム、シールまたはメンブレンを備える。前記ダイヤフラム、シールまたはメンブレンは、前記開口と前記容器の本体またはチャンバとの間の位置（中間など）に配置される。前記ダイヤフラム、シールまたはメンブレンは、前記ネック部の中間部または中央部に取り付けられる。前記ダイヤフラム、シールまたはメンブレンは、前記開口から間隔をおいて取り付けられる。前記ダイヤフラム、シールまたはメンブレンは、前記開口から遠位側に取り付けられる。前記ダイヤフラム、シールまたはメンブレンは、前記ダイヤフラム、シールまたはメンブレンと前記開口との間に空間を設けた状態で、取り付けられる。前記ダイヤフラム、シールまたはメンブレンは、クロージャアセンブリの一部を形成する。
【０１４２】
前記ネック部の一部で、前記開口と前記ダイヤフラム、シールまたはメンブレンの中間部に、さらなる密閉手段を受け入れるために、前記ダイヤフラム、シールまたはメンブレンは、前記開口から離隔されて配置される。例えば、前記さらなる密閉手段は、前記ダイヤフラム、シールまたはメンブレンを破損させることにより、前記容器を初めて開封した後に、前記容器を密閉するためのストッパー、リッドまたはトップ（例えばコルク）を備える。前記開口から前記ダイヤフラム、シールまたはメンブレンまでに間隔をあけることにより、前記さらなる密閉手段は、前記容器の開口部上または開口部中に設けられ、前記ダイヤフラム、シールまたはメンブレンと接触またはこれと干渉する可能性なく設置される。前記さらなる密閉手段は、初回開封前に追加的な密封または密封を行う。前記さらなる密閉手段は、前記ダイヤフラム、シールまたはメンブレンを開封または破損させる前に前記口部または開口部に、またはこの上に、またはこの中に、少なくとも部分的に配置または配置可能である。
【０１４３】
前記ダイヤフラム、シールまたはメンブレンは、前記開口から間隔をおいて設けられており、前記ダイヤフラム、シールまたはメンブレンへのアクセスが阻止される。例えば、前記開口から前記ダイヤフラム、シールまたはメンブレンの間隔をあけることにより、操作または他の望まれない行為またはこの間に、前記ダイヤフラム、シールまたはメンブレンが除去および／または交換されることが防止される。
【０１４４】
前記ダイヤフラム、シールまたはメンブレンが前記開口から間隔をおいて取り付けられているため、前記ダイヤフラム、シールまたはメンブレンへのアクセスが阻止される。前記開口は、制限または限定されたアパチャーを形成しているため、前記ダイヤフラム、シールまたはメンブレンに対する指によるアクセスが防止される。
【０１４５】
前記ダイヤフラム、シールまたはメンブレンは、前記開口から間隔をおいて配置されているため、前記ダイヤフラム、シールまたはメンブレンは前記容器の隠されていない部分を通して目視可能（例えば、前記容器の透明または不透明部分を通して側方に目視可能）である。前記ダイヤフラム、シールまたはメンブレンは、前記開口から間隔をおいて設けられているため、前記ダイヤフラム、シールまたはメンブレンは、少なくとも部分的に透明または半透明であるネック部を通して目視可能である。前記ダイヤフラム、シールまたはメンブレンは、前記開口から間隔をおいて設けられているため、前記ダイヤフラム、シールまたはメンブレンは、前記容器の透明または半透明でない部分（例えば、他のネック部）または、少なくとも部分的に目視不能または目視が妨害されている前記容器の部分（例えば、他のネック部）の下または隣から目視可能である。例えば、前記間隔は、前記ダイヤフラム、シールまたはメンブレンを可視化し、前記開口は、さらなる密閉手段および／または、例えばシュリンクラップ、プラスチックラッピング、ワックス、金属（例えば、スズまたは鉛）、カプセルなどのクロージャアセンブリの追加的な部品などのカバーを備える。前記ネック部は、透明または半透明な部分または窓によって間隔があけられた上下の不透明または不鮮明な部分と、少なくとも前記シール、メンブレンまたはダイヤフラムを備え、および／または前記支持部材は、前記透明または半透明な部分または窓がある部分に設けられる。
【０１４６】
前記ダイヤフラム、シールまたはメンブレンは、前記容器の開口から間隔をおいて設けられているため、浮いた状態でダイヤフラム、シールまたはメンブレンが提供される。
【０１４７】
前記ダイヤフラム、シールまたはメンブレンおよび／または前記ダイヤフラム、シールまたはメンブレン用の支持部材は、希少性あるいは準希少性またはコレクション性のある材料および／または食品用金属素材などの金属素材からなる。例えば、前記支持部材は、食品用ステンレスからなる。前記ダイヤフラム、シールまたはメンブレンは、食品用プラスチックおよび／または金属素材からなる。例えば、前記ダイヤフラム、シールまたはメンブレンは、ポリエチレンでコートされた基材などのポリエチレン（例えば、ホイルやシートなど）からなる。
【０１４８】
前記ダイヤフラム、シールまたはメンブレンは、取り外し不能に前記ネック部に取り付けられる。
【０１４９】
前記ネック部は、前記開口と前記本体またはチャンバとの間における前記ネック部の長さに沿って、厚さが小さくなった部分を備える。前記厚さが小さくなった部分は、前記ネック部の前記開口と前記本体またはチャンバとの間の長さに沿って、中間位置に配置される。前記厚さが小さくなった部分は、前記ダイヤフラム、シールまたはメンブレンの取り付け位置に対応する。
【０１５０】
前記厚さが小さくなった部分は、前記ネック部の隣接部との間に、厚さが変化することによる段部を備える。前記厚さが小さくなった部分は、２つの前記ネック部の隣接部との間に、厚さが変化することによる段部が設けられる（つまり、前記厚さが小さくなった部分の両側にある前記ネック部の隣接部は、片側は他方より前記容器の本体に軸方向に近接している）。
【０１５１】
前記厚さが小さくなった部分は、凹部からなる。前記凹部は、環状凹部からなる。前記凹部は、内部凹部からなる。前記凹部は、外部凹部からなる。前記凹部は、溝を備える。
【０１５２】
前記凹部は、部材を受け入れ可能に構成される。前記凹部内に受け入れられた前記部材は、実質的に剛性のある部材からなる。前記部材は、剛性部材からなる。前記部材は、前記凹部に取り付けられると、前記ネック部から取り外すことが不可能である。前記部材は、リングまたはディスクを備える。前記部材は、タンパーエビデンス部材および／またはコレクション性のある材料および／または希少性または準希少性のある部材を備える。
【０１５３】
前記部材は、内部に取り付けられた部材などの内部部材を備える。前記内部に取り付けられた部材は、前記容器の内部輪郭よりも大きい外部輪郭を備える。前記部材の外部輪郭は、前記容器の断面寸法よりも大きい断面寸法を有し、その断面は、前記容器のネック部の長手方向の軸に対して垂直である。前記部材の外部輪郭は、外径を備える。前記容器の内部輪郭は、内径を備える。前記容器の内部輪郭は、前記ネック部の隣接部によって定義される。前記容器は、前記部材よりも小さい輪郭を有する複数の内部輪郭を備える。前記部材は、外部に取り付けられた部材などの外部部材を備える。前記部材は、カラーまたはスリーブを備える。
【０１５４】
このような構造のネック部により、実質的に剛性または剛性部材を含めることが可能となる。そうでなければ、特にガラス容器などの剛性または実質的に剛性な容器内に、このような部材を取り付けることは不可能または少なくとも困難である。例えば、剛性部材をネック部の中間部に設けるために、大きい輪郭の剛性部材を、小さい輪郭の開口部またはネック部に通して挿入することは不可能である。同様に、ネック部または開口部が外方に伸長するフランジなどの大きい外部輪郭を備える場合、剛性部材をネック部の中間部に設けるために、小さい輪郭の剛性部材を大きい輪郭の開口部またはネック部に取り付けることは不可能である。
【０１５５】
前記部材は、前記容器の一部を形成または設置または取り付ける前に取り付けられ、前記容器の一部は、少なくとも前記開口部またはネック部を部分的に形成するように設置または取り付けられる。前記部材は、前記クロージャアセンブリの第１の部分を備えるまたは前記クロージャアセンブリの第１の部分に含まれる。設置または取り付けられる前記容器の一部は、前記クロージャアセンブリの第２の部分を備えるまたは前記クロージャアセンブリの第２の部分に含まれる。少なくとも前記部材の一部は、前記容器の２つの部分の間に挟まれる。少なくとも前記部材の一部は、前記容器の２つの部分（ガラス容器の２つの隣接した壁など）の間に軸方向に挟まれる。
【０１５６】
前記内部に取り付けられた部材は、前記ダイヤフラム、シールまたはメンブレン用の支持部材を備える。前記ダイヤフラム、シールまたはメンブレン用の前記支持部材は、はと目金、小穴、リングなどを備える。
【０１５７】
前記ダイヤフラム、シールまたはメンブレン用の前記支持部材は、前記容器の本体に近位の下側開口よりも前記容器の本体から遠位の上側開口を備える。前記上側開口は、小さい直径を有しており、前記下側開口の直径より小さい。前記上側開口は、前記ダイヤフラム、シールまたはメンブレン用の前記支持部材の上側環状部によって構成される。前記シール、メンブレンまたはダイヤフラムは、前記ダイヤフラム、シールまたはメンブレン用の前記支持部材の上側環状部の下側に取り付けられる。前記シール、メンブレンまたはダイヤフラムは、前記ダイヤフラム、シールまたはメンブレン用の前記支持部材と共に設置、取り付けまたは形成されるため、前記容器内に取り付けられた場合、前記シール、メンブレンまたはダイヤフラムは、前記シール、メンブレンまたはダイヤフラム用支持部材から取り外し不能となる。
【０１５８】
前記シール、メンブレンまたはダイヤフラム用支持部材は前記容器に取り付けられるため、前記シールまたはダイヤフラムは、前記容器内に取り付けられた場合に、少なくとも前記ダイヤフラム、シールまたはメンブレン用の前記支持部材の下側に見える。例えば、前記ダイヤフラム、シールまたはメンブレン用の前記支持部材が透明または不透明でない場合、前記ダイヤフラム、シールまたはメンブレン用の前記支持部材は、前記シールまたはダイヤフラムの一部が前記容器の本体の方向に前記ダイヤフラム、シールまたはメンブレン用の前記支持部材と隣接して見えるような寸法となる。したがって、前記シールまたはダイヤフラムは、少なくとも開封、破裂または破損させられた場合に可視化され、開封または操作があったことを示すことを可能にする。前記ダイヤフラム、シールまたはメンブレン用の前記支持部材の本体側に、前記シールまたはダイヤフラムを配置することは、前記容器の開口を介した前記シールまたはダイヤフラムの除去を阻止し、および／または、前記容器の開口を通して挿入されたシールまたはダイヤフラムとの交換または偽造されたシールまたはダイヤフラムとの交換が阻止される。
【０１５９】
前記容器は、複数の部材を備える。前記容器は、内部に取り付けられた部材および外部に取り付けられた部材を備える。前記容器内部に取り付けられた複数の部材。前記容器は、外部に取り付けられた複数の部材を備える。
【０１６０】
本発明の第１５の態様においては、ガラス容器（例えば、プレミアムスピリッツ、リカー、ウィスキーまたはスコッチウィスキーなどのアルコール飲料用のガラス製ボトル）などの容器の密封方法が提供される。
【０１６１】
前記方法は、前記開口と前記容器の本体またはチャンバとの間の位置（中間部など）に前記ダイヤフラム、シールまたはメンブレンを設けることからなる。前記方法は、前記容器のネック部における中間位置にシールまたはダイヤフラムを取り付けることからなる。
【０１６２】
前記方法は、前記容器を密封するために、前記容器が充填された後などに前記クロージャアセンブリの第１の部分を前記容器に取り付けまたは設置することからなる。充填後に前記容器の容積が必ずしも完全に埋まるわけではないため、前記容器を充填することは、前記容器を部分的に充填することを意味する（例えば、前記容器が液体で充填された場合、前記容器の一部は液体で満たされずに残るため、ガス部分が液体中の圧力変化および／または充填耐性を無駄なく調節することを可能にする）。前記クロージャアセンブリの第１の部分は、前記容器を密封するために、前記シールまたはダイヤフラムを備える。前記容器の第１の部分は、前記ダイヤフラム、シールまたはメンブレン用の支持部材を備える。前記容器は、例えば液体で充填され、その後、前記クロージャアセンブリの第１の部分によってシールされ密封される。前記クロージャアセンブリの第１の部分の取り付けまたは設置は、第１の取り付けまたは設置方法からなる。第１の取り付けまたは設置方法は、前記容器の内容物に適合する方法からなる。例えば、前記容器が食料品で充填された場合、前記クロージャアセンブリの第１の部分の取り付けまたは設置方法は、食品用接着剤などの許可された手段により実現される。
【０１６３】
前記方法は、類似する素材を結合させることからなる。例えば、前記クロージャアセンブリの第２の部分は、前記容器に類似する素材からなる。例えば、前記容器がガラス容器の場合、第２の部分は、ガラス部を備える。第２の部分は、前記容器と一体化または取り付けまたは設置された部分を備え、実質的に均質あるいは連続的な容器を形成する。
【０１６４】
第２の部分は、第１の部分を保護または補強するためのものである。第２の部分は、第１の部分へのアクセスを実質的に防止すると共に、前記容器から第１の部分が除去されることを任意に防止する。
【０１６５】
前記方法は、前記クロージャアセンブリの第２の部分を一体化、取り付けまたは設置する前に、外部部材を前記容器上に組み立てることからなる。前記クロージャアセンブリ前記容器と前記クロージャアセンブリの第２の部分との間の接合箇所または継ぎ目を覆うためのスリーブまたはカラーまたは装飾部材などの外部部材を備える。前記外部部材は、前記クロージャアセンブリの第２の部分の一体化、取り付けまたは設置の後に、前記外部部材を前記容器から取り外すことが不可能となるように組み立てられる。前記クロージャアセンブリの第２の部分は、拡幅、外部突出部またはフランジなどの大きな外側輪郭部を備えるため、前記クロージャアセンブリの第２の部分の一体化、取り付けまたは設置の後、前記外部部材は、取り外し不能および／または前記ネック部へ挿入不能となる。例えば、前記クロージャアセンブリの第２の部分の一体化、取り付けまたは設置前に限り、前記容器上へ前記外部部材を組み立てることが可能である。
【０１６６】
前記方法は、前記容器へ前記クロージャアセンブリの第２の部分を一体化、取り付けまたは設置した後、前記ネック部に沿って前記外部部材を軸方向にスライドさせるなどして移動させることからなる。前記外部部材は、前記クロージャアセンブリの第２の部分と前記容器との間の接合箇所または継ぎ目の少なくとも一部を覆うために前記ネック部に沿って軸方向に移動する。
【０１６７】
前記方法は、前記外部部材の移動後、前記クロージャアセンブリの第２の部分と前記容器との間の接合箇所または継ぎ目の少なくとも一部を覆うために、前記外部部材を前記ネック部に固定することからなる。
【０１６８】
前記方法は、前記容器に対して前記クロージャアセンブリの第２の部分を一体化、取り付けまたは設置する前に、複数の外部部材を組み立てることからなる。例えば、上下外部カラーは、上下の継ぎ目または接合箇所を覆うために組み立てられる。例えば、前記クロージャアセンブリの第２の部分は、覆うことが所望される接合箇所または継ぎ目と共に形成される。
【０１６９】
前記方法は、前記クロージャアセンブリの第２の部分を前記容器へ一体化、取り付け、または設置することからなるため、前記クロージャアセンブリの第２の部分は前記容器から取り外し不能となる。前記方法は、前記クロージャアセンブリの第２の部分を前記容器に接合、接着または溶接させることからなる。前記容器は、前記クロージャアセンブリの第１の部分によって密封されるため、前記クロージャアセンブリの第２の部分は、代替方法によって前記クロージャアセンブリの第１の部分に一体化、取り付けまたは設置される。例えば、前記容器が食料品で充填され、前記容器が前記クロージャアセンブリの第１の部分を取り付ける許可された食品用の手段によって密封された場合、前記クロージャアセンブリの第２の部分は、食品用に許可されていない手段を用いて、一体化、取り付けまたは設置される。前記方法は、前記クロージャアセンブリのガラス製の第２の部分をガラス容器に紫外線接合を施す工程を備える。
【０１７０】
前記方法は、前記ネック部の軸方向長さ上の前記クロージャアセンブリの第２の部分と前記容器との間に環状の接合または結合箇所を設けることからなる。前記クロージャアセンブリの第２の部分は、前記クロージャアセンブリの第１の部分が取り付けられた前記小さい直径の容器のネック部上に取り付けるための外側スリーブ部を備える。
【０１７１】
本発明の第１６の態様においては、液体用容器などの容器を開封する方法が提供される。
【０１７２】
前記方法は、スコッチウィスキーなどのプレミアムスピリッツ用のガラス製ボトルなどのガラス容器を開封することからなる。
【０１７３】
前記方法は、前記容器の開口と前記容器の本体またはチャンバとの間（中間など）の位置に設けられたダイヤフラム、シールまたはメンブレンを破損、破裂または穴開けすることからなる。
【０１７４】
前記方法は、前記ネック部から前記ダイヤフラム、シールまたはメンブレンを除去しないことからなる。
【０１７５】
前記方法は、細長い部材で前記ダイヤフラム、シールまたはメンブレンを破損、破裂または穴開けすることからなる。前記細長い部材は、別途供給および／またはパッケージされるなど、前記容器とは異なるものである。前記細長い部材は、ハンドルおよびブレードを備える。前記細長い部材は、儀式用短刀（スキアンドゥー；Sgian Dubh）、ナイフ、ダガーなどの細長い部材を備えることができる。前記細長い部材は、コレクション性のある材料あるいは希少性または準希少性の部材からなる。
【０１７６】
前記方法は、前記細長い部材で前記ダイヤフラム、シールまたはメンブレンを破損、破裂または穴開けする前に、コルクまたはストッパーなどのさらなる密閉手段を前記容器の開口から取り除く先行ステップをさらに備える。
【０１７７】
前記方法は、前記容器を再度密閉するなどするために、前記細長い部材で前記ダイヤフラム、シールまたはメンブレンを破損、破裂または穴開けした後、前記開口に前記コルクまたはストッパーなどのさらなる密閉手段を適用させる次のステップをさらに備える。
【０１７８】
本発明の第１７の態様においては、いずれかの態様における容器およびクロージャアセンブリおよび／またはシール、ダイヤフラムまたはメンブレンおよび／または希少性、準希少性、コレクション性のある部材と、前記容器を開封するために前記シール、ダイヤフラムまたはメンブレンを破損させるための細長い部材が提供される。
【０１７９】
前記細長い部材は、前記容器とは異なる前記キットの中に設けられる。前記細長い部材前記容器とは別の部材である。
【０１８０】
前記キットはさらなる密閉手段を備え、前記さらなる密閉手段は、前記シール装置に追加される。前記さらなる密閉手段は、前記シールを破損させる前に前記キット中の前記容器の開口内に少なくとも部分的に配置される。前記さらなる密閉手段は、前記シールを破損させる前に前記キット中の前記容器の開口部内に完全に配置される。あるいは、前記追加的な密閉手段は、前記容器とは別に前記キット中に配置される。
【０１８１】
前記キットは、パッケージを備える。前記パッケージは、贈答用箱などの箱からなる。前記キットは、保管および／または輸送および／または展示および／または販売などのために、前記パッケージ内に収容される。
【０１８２】
本発明の第１８の態様においては、アルコール飲料（例えば、プレミアムスピリッツ、リカー、ウィスキーまたはスコッチウィスキーなどのスピリッツあるいはリカー）用のガラス製ボトルなどのガラス容器を密封するためのクロージャアセンブリが提供される。前記クロージャアセンブリは、前記容器を密封するための第１の部分を備える。前記クロージャアセンブリは、第１の部分を保護または補強するための第２の部分を備える。第２の部分は、第１の部分へのアクセスを実質的に防止すると共に、前記容器から第１の部分を取り除くことを任意に防止する。第２の部分は、前記ガラス容器と一体化または取り付けまたは設置されたガラス部を備え、実質的に均質あるいは連続的なガラス容器を形成する。前記クロージャアセンブリの第２の部分は、前記クロージャアセンブリの第１の部分が取り付けられた前記小さい直径の容器のネック部上に取り付けるための外側スリーブ部を備える。
【０１８３】
前記クロージャアセンブリの第２の部分は、前記容器のガラス製ネック部の一部を構成する。前記クロージャアセンブリの第２の部分は、前記容器のガラス製の開口部を形成する。
【０１８４】
前記クロージャアセンブリは、前記ガラス容器と前記クロージャアセンブリの第２の部分との間の結合箇所を覆うためのスリーブまたはカラーまたは装飾部材を備える。
【０１８５】
本発明の第１９の態様においては、アルコール飲料（例えば、プレミアムスピリッツ、リカー、ウィスキーまたはスコッチウィスキーなどのスピリッツあるいはリカー）用のガラス製ボトルなどのガラス容器の製造方法が提供される。前記方法は、前記ガラス容器のネック部または開口部に凹部を提供することからなる。前記凹部は、前記容器のネック部の中間部に設けられる。前記凹部は、厚さが小さくなったガラス製の部分を備える。前記凹部は、厚さが小さくなったガラス製の部分を備えるため、前記容器の外面は実質的に平面を保つ。例えば、前記凹部は、内部溝を備える。
【０１８６】
前記方法は、前記ガラス容器のネック部または開口部の一部を形成するために、ガラス製スリーブを取り付けることからなる。前記ガラス製スリーブは、内径に段差を備えるため、前記方法は、前記ガラス製スリーブが取り付けられた前記ガラス容器の一部と前記ガラス製スリーブとの間の前記ネック部に内方環状凹部を形成するために、前記ガラス製スリーブを取り付けることからなる。前記ガラス製スリーブの下部は、内径における段差に基づいて、前記ガラス製スリーブの上部に対して大きい内径を有する。前記方法は、前記容器の一部上に前記下部の直径よりも小さい外径を有する前記ガラス製スリーブの下部を取り付けることからなる。前記方法は、前記下部を前記容器の前記部分によって定義された移動の長さに軸方向に挿入することからなり、前記定義された移動の長さは、前記下部の物理的な長さよりも小さい。したがって、前記方法は、前記ガラス製スリーブの当接する上下部分間における内径の段差を備えるため、前記環状凹部は前記容器の前記部分と前記ガラス製スリーブの上部との間に形成される。
【０１８７】
前記方法は、前記ガラス製スリーブを挿入することにより、前記容器にネック部または開口部を設ける。取り付けられる前記ガラス製スリーブは、外部に突出するリップなどのフランジを備える。前記フランジ前記容器の本体から離れて設けられるなどした前記スリーブの上部を備える。前記フランジは、前記容器の内側スリーブ部分の補強を備えるまたは構成する。
【０１８８】
前記方法は、前記ガラス製スリーブを前記容器に紫外線接合を施す工程を備える。前記方法は、重ね接合を備える。前記方法は、突合せ接合からなる。
【０１８９】
前記方法は、前記スリーブを受け入れるために、前記容器の前記部分の寸法を予め計測しておくことからなる。例えば、前記方法は、前記容器のネック部を切断、ミリングまたは研削して、前記ネック部の残部により前記容器の前記ネック部の下部内側スリーブ部を形成し、前記ネック部の下部内側スリーブ部に、前記ガラス製スリーブが受け入れられるようにする。
【０１９０】
前記方法は、前記スリーブ部を設置または取り付ける前に、前記部材を前記凹部内または前記凹部に取り付け、配置または設置することからなる。
【０１９１】
本発明は、１つ以上の単独またはさまざまな組み合わせで対応する態様、実施形態または特徴を含む（これらが特に記載またはクレームされているか否かを問わない）。例えば、第１の態様に関して任意であると記載された特徴は、これらのさまざまな組み合わせおよび交換を明確かつ不必要に明細書中に記載することなく、他の態様に関して追加的に適用することができる。
【０１９２】
また、記載された特徴のうち１つ以上の特徴を実施するための対応手段も、本発明の開示内に含まれる。
【０１９３】
１つ以上の態様または実施形態は、容器の密封または開封に有用である。
【０１９４】
上記の概要は、説明目的のみを意図して記載されたものであり、本発明はこれらの概要によって限定されることはない。
【０１９５】
本明細書で用いられている用語で、「備える」または「からなる」とは、少なくとも「から構成される」、「から本質的に構成される」、「を含む」および「である」を含むことを意図している。例えば、前記装置が「第１の本体部分からなる」とする場合、前記装置は「第１の本体部分を含む」（かつ、任意に他の要素も含む）、前記装置は「第１の本体部分である」、または前記装置は「第１の本体部分から構成される」などと解釈される。簡潔性および明瞭性のために、「からなる」と記載する度にその順列を具体的にすべて記載することはしていない。
【０１９６】
本発明のこれらおよび他の態様について、添付の図面に対する参照符号と共に、例示によってのみ説明される。
【図面の簡単な説明】
【０１９７】
【図１】図１は、容器を使用する際における初期状態（第１の状態あるいは閉状態）にある、本発明の第１の実施形態のクロージャアセンブリ（密封装置）の縦断面図である。
【図２】図２は、図１のクロージャアセンブリについての分解組立図である。
【図３】図３は、図１のクロージャアセンブリについて第１の本体部分が第１の中間位置にある状態を示す縦断面図である。
【図４】図４は、図１のクロージャアセンブリについて第１の本体部分が第２の中間位置にある状態を示す縦断面図である。
【図５】図５は、図１のクロージャアセンブリについて第１の本体部分が第３の中間位置にある状態を示す縦断面図である。
【図６】図６は、図１のクロージャアセンブリについて、第２の状態（開状態）であって、クロージャアセンブリが容器から実質的に取り外されている状態を示す縦断面図である。
【図７】図７は、図１のクロージャアセンブリについて、容器への設置ないしは取り付け前の状態を示す縦断面図である。
【図８】図８は、本発明の第２の実施形態のクロージャアセンブリを用いた容器の部品配置を示す縦断面図である。
【図９】図９は、図８に示した部品から選択された部品からなるクロージャアセンブリを用いた容器についての分解組立図である。
【図１０】図１０は、図９に示したクロージャアセンブリを用いた容器について、クロージャアセンブリの第１の部分を充填済みの容器に取り付ける前の状態を示す。
【図１１】図１１は、図９に示したクロージャアセンブリを用いた容器について、クロージャアセンブリの第１の部分を充填済みの容器の一部に取り付け、内容物を容器内に密封し、かつ、クロージャアセンブリの第２の部分を充填済みの容器に取り付ける前の状態を示す。
【図１２】図１２は、図９に示したクロージャアセンブリを用いた容器について、クロージャアセンブリの第２の部分を充填済みの容器の一部に取り付けて、クロージャアセンブリの第１の部分が容器と一体化された状態を示す。
【図１３】図１３は、図８に示した部品から別に選択された部品からなるクロージャアセンブリを用いた容器についての分解組立図である。
【図１４】図１４は、図１３に示したクロージャアセンブリを用いた容器について、クロージャアセンブリの第１の部分を充填済みの容器の一部に取り付け、内容物を容器内に密封し、かつ、クロージャアセンブリの第２の部分を充填済みの容器に取り付ける前の状態を示す断面図である。
【図１５】図１５は、図１３に示したクロージャアセンブリを用いた容器について、クロージャアセンブリの第２の部分を充填済みの容器の一部に取り付けて、クロージャアセンブリの第１の部分が容器と一体化され、かつ、容器のネック部に２つのカラーが取り付けられた状態を示す断面図である。
【図１６】図１６は、図１３に示したクロージャアセンブリを用いた容器について、クロージャアセンブリの第２の部分を充填済みの容器に取り付けて、クロージャアセンブリの第１の部分が容器と一体化され、２つのカラーのうちの下側カラーが、クロージャアセンブリの第２の部分と容器の一部との間における継ぎ目を隠すためにネック部まで移動させた状態を示す断面図である。
【図１７】図１７は、さらなる密閉手段を備えた図１６の容器について、クロージャアセンブリの第１の部分による密封性を示すために反転させた状態を示す側面図である。
【図１８】図１８は、図１７に示したクロージャアセンブリの要部側面図である。
【図１９】図１９は、図１６に示した容器と、さらなる密閉手段と、梱包されていた容器を開封するための細長部材とからなるキットの側面図である。
【図２０】図２０は、図１９に示した容器について、容器を初めて開封するために細長部材を開口部に挿入した状態を示す側面図である。
【図２１】図２１は、図２０に示した開封済みの容器について、内容物を注ぐために傾けられた状態を示す断面図である。
【図２２】図２２は、図２０に示した開封済みの容器に対して、さらなる密閉手段を挿入して直立させた状態を示す側面図である。
【図２３】図２３は、図２２に示した開封済みの容器における、クロージャアセンブリのシールまたはダイヤフラムの破損状態を示す要部側面図である。
【発明を実施するための形態】
【０１９８】
図１および図２は、本発明の第１の態様によるクロージャアセンブリまたは密封装置１０を示している。クロージャアセンブリ１０は、図１に部分的に示されている、液体用容器などの容器１４の開口部またはネック部１２に適用される。クロージャアセンブリ１０は、第１の本体部分１６を備える。クロージャアセンブリ１０は、使用の際に、実質的に第１の本体部分１６と液体用容器１４との間に配置される、タンパーエビデンス部材を備える。タンパーエビデンス部材１８は、クロージャアセンブリ１０を初めて開封する前においては、容器１４および／または第２の本体部分２０に対する、第１の本体部分１６の位置または場所を維持する。
【０１９９】
この配置により、タンパーエビデンス部材１８は、取り外される前においては、クロージャアセンブリ１０の構造の一部として機能する。
【０２００】
タンパーエビデンス部材１８は、引裂帯を備える。タンパーエビデンス部材１８は、クロージャアセンブリ１０および容器１４の少なくとも一部の周囲に周方向に伸長する。
【０２０１】
図示の例では、タンパーエビデンス部材１８は、第１の本体部分１６に対して軸方向の荷重などの荷重が掛かった場合に、容器１４および／または第２の本体部分２０に対する、第１の本体部分１６の長手方向または軸方向の位置を維持する。
【０２０２】
タンパーエビデンス部材１８は、第１の本体部分１６に掛かる衝撃荷重を、少なくとも部分的に吸収および／または移動させる。タンパーエビデンス部材１８は、クロージャアセンブリ１０が初めて開封される前では、容器１４および／または第２の本体部分２０に対して、第１の本体部分１６が移動することを阻止あるいは阻止しようとする。例えば、タンパーエビデンス部材１８は、第１の本体部分１６が容器１４および／または第２の本体部分２０に向けて、および／または、容器１４および／または第２の本体部分２０から離れるように移動することを阻止あるいは阻止しようとする。
【０２０３】
第１の本体部分１６は、第１のスリーブ部を有する、第１の円筒部材またはキャップを備える。第２の本体部分２０は、第２の円筒部材または第２のスリーブ部を備える。タンパーエビデンス部材１８は、実質的に剛性を有する部材を備え、クロージャアセンブリ１０に軸方向または長手方向の剛性を含む剛性を付与する。タンパーエビデンス部材１８は、アクセスタブを備える。図示の例では、タンパーエビデンス部材１８は、第２の状態において、壊れやすく取り外し可能なリング部材スペーサを備える。他の例では、タンパーエビデンス部材は、第２の状態において、部分的に取り外し可能となっている。例えば、タンパーエイデンス部材が、クロージャアセンブリおよび／または容器に少なくとも部分的に取り付けられた状態を保つように構成される。
【０２０４】
タンパーエビデンス部材１８は、第１の本体部分１６および第２の本体部分２０に取り付けられる。図示の例では、タンパーエビデンス部材１８は、第１および第２の本体部分１６および２０の周端部のそれぞれに取り付けられる。
【０２０５】
図示の例では、タンパーエビデンス部材１８は、強度、剛性、断面積および厚さが変化する構造を備える。タンパーエビデンス部材１８は、タンパーエビデンス部材１８の周囲など、その長さに沿って（例えば、周方向長さに沿って）、強度、剛性、断面積および厚さを変化させることができる。図示の例では、タンパーエビデンス部材１８は、肉厚部２２および肉薄部２４を備える。
【０２０６】
タンパーエビデンス部材１８は、開封前において、容器１２および／または第２の本体部分２０に対する、第１の本体部分の位置決めまたは場所の決定を図る単一または唯一の手段を備える。
【０２０７】
クロージャアセンブリ１０は、第１の本体部分１６に対して第１の状態となるようにバイアスを掛けるためのバイアス手段を備える。図示の例では、バイアス手段２６は、巻きバネあるいはコイルバネを備える。
【０２０８】
クロージャアセンブリ１０は、ダイヤフラムまたはシール３０を、切断、穴開け、貫通、除去または変位させるための手段２８を備える。
【０２０９】
図示の例では、クロージャアセンブリ１０は、希少性、準希少性、または高いコレクション性を備えた部品または部材３２を備える。部材３２は、ダイヤフラム、シールまたはメンブレン３０と組み合わされて、シールアセンブリ２７を構成する。
【０２１０】
希少性、準希少性、または高いコレクション性を備えた部品または部材３２は、容器１４を初めての開封後または使用後に、リユースするよりもリサイクルしようとする動機付けをもたらす。このようにすることで、オリジナルの容器１４を用いた不正使用の機会が低減される。
【０２１１】
希少性、準希少性、または高いコレクション性を備えた部品または部材３２は、容器１４から除去または分離した場合には、リユースが実質的にできないように、容器１４に取り付けられる。すなわち、部材３２は、容器１４に対して分離不能に取り付けられる。部材３２は、実質的に恒久的に容器１４に対して固着される。部材３２は、容器１４に溶接または溶着される。他の例では、部材３２は、容器１４に接着され、または、容器１４あるいはクロージャアセンブリ１０のコーティング、インサート、またはアタッチメントとして構成される。
【０２１２】
希少性、準希少性、または高いコレクション性を備えた部品または部材３２は、容器１４の最初の開封後または使用後に、容器１４にリユース価値よりも高いリサイクル価値を付与する。すなわち、希少または準希少部材または部品または収集可能な部材３２は、容器１４、容器の残部１４、または容器の他の材料１４に対して実質的に価値をもたらす。
【０２１３】
希少性、準希少性、または高いコレクション性を備えた部品または部材３２は、容器１４から除去または分離した場合には、リユースが実質的にできないように、容器１４に取り付けられている。
【０２１４】
図示の例では、容器１４は、アルコール飲料（例えば、プレミアムスピリッツ、プレミアムリカー、プレミアムウィスキー、スコッチウィスキーなどのスピリッツあるいはリカー類）用のガラス製ボトルなどのボトルを備える。部材３２は、容器１４の開口部あるいはネック部１２の内部またはその上に設けられる。開口部１２は、例えば、その内側および／または外側において円筒状である。
【０２１５】
希少性、準希少性、または高いコレクション性を備えた部品または部材３２は、リング、ディスクまたは環状部材を備える。図示の例では、部材３２は、金のリングを備える。その他、部材３２としては、希少または準希少な宝石、貴金属などの従来からある希少または準希少な材料、たとえば、銀、プラチナなどの貴金属、これらの合金、混合物または派生品、および／または、真鍮、しろめ、スチール、ニッケルなどの準貴金属、これらの合金、混合物または派生品などを用いることができる。
【０２１６】
さらに、希少性、準希少性、または高いコレクション性を備えた部品または部材３２として、従来とは異なる、プラスチックなどからなる非希少材料によって構成することもできる。この場合、部材３２の価値の少なくとも一部は、材料とは異なる部分での価値または希少性に由来する。例えば、コレクション性を備えた部材としては、限定フォルムや限定色などの限定版として構成される。いくつかの例では、部材３２は、プラスチックまたはポリマー自体であるか、プラスチックまたはポリマー材料に含められる。例えば、部材３２は、ＰＥＴなどの容器などのプラスチック製品または加工品の製造のために用いられるマスターバッチに、添加物として含められる。
【０２１７】
図示の例では、希少性、準希少性、または高いコレクション性を備えた部品または部材３２は、ダイヤフラム支持部材を備える。部材３２およびダイヤフラムまたはシール３０は、容器の開口から離隔している。部材３２およびダイヤフラムまたはシール３０は、容器１４のネック部１２に一部挿入されて配置可能であり、かつ、ネック部１２の流路または貫通孔内に面一に取り付けられるように構成されたインサートを備える。部材３２およびダイヤフラムまたはシール３０は、容器１４の流体出口の下流に、容器１４の出口から容器１４の底面、本体またはチャンバに向けて軸方向に変位した状態で、取り付けられる。
【０２１８】
希少性、準希少性、または高いコレクション性を備えた部品または部材３２は、部材３２が、容器１４を破損させて実質的に再利用が不可能となる場合のみ、容器１４から分離あるいは取り外し可能となるように容器１４に取り付けられる。
【０２１９】
希少性、準希少性、または高いコレクション性を備えた部品または部材３２は、最初の開封時に破損するように構成された壊れやすいダイヤフラムまたはシール３０を備える。
【０２２０】
第１の本体部分１６は、最初の開封時または開封の第１段階において、第１の方向（例えば、時計回り）に回転または回転可能に構成され、開封後または開封の第２段階において、第２の方向または反対方向（例えば、反時計回り）に回転または回転可能に構成される。前記開封は、容器１４の最初すなわち第１回目の開封からなる。
【０２２１】
第１の本体部分１６は、クロージャアセンブリ１０または容器１４を初めて開封するために、第２の本体部分２０および／または容器１４に対して軸方向に移動可能である。開封の初期または第１段階、および／または、開封後または第２段階は、容器１４またはクロージャアセンブリ１０を初めて開封するための、容器１４および／または第２の本体部分２０に対する、第１の本体部分１６の軸方向の移動により構成される。開封の初期または第１段階は、第１の軸方向移動からなる。開封後または第２段階は、第２またはさらなる軸方向移動により構成される。
【０２２２】
アセンブリ１０または容器を初めて開封するための容器１４および／または第２の本体部分２０に対する第１の本体部分１６の軸方向の移動は、同一の第１の軸方向に行われる。アセンブリ１０または容器を初めて開封するための容器１４および／または第２の本体部分２０に対する第１の本体部分１６の軸方向の移動は、容器１４に向かうものである。
【０２２３】
第２の本体部分２０は、使用の際には、第１の本体部分１６よりも容器１４に軸方向に関して近接している。容器１４のネック部１２から容器１４の底面または本体またはチャンバ（図示せず）に向かう方向が、第１の軸方向である。容器１４の底面または本体またはチャンバから容器１４のネック部１２に向かう方向が、第２の軸方向である。第２の本体部分２０は、使用の際には、第１の本体部分１６よりも容器１４の底面または本体またはチャンバに軸方向に関して近接している。
【０２２４】
図１〜図４に連続的に示したように、容器１４は、使用の際には、クロージャアセンブリ１０の第１の本体部分１６に、力を容器１４および／または第２の本体部分２０に向かって軸方向に加え、かつ、第１の本体部分１６を容器１４および／または第２の本体部分２０に対して第１の方向に回転させて、容器１４および／または第２の本体部分２０に向かって第１の本体部分１６を前進させることにより、開封される。その後、クロージャアセンブリ１０の第１の本体部分１６に、容器１４および／または第２の本体部分２０に向かって軸方向に力を加え、かつ、第１の本体部分１６を容器１４および／または第２の本体部分２０に対して第２の方向に回転させて、第１の本体部分１６を容器１４および／または第２の本体部分２０に向かって前進させる。このようにして、第１の本体部分１６は、図４および図５に連続的に示したように、容器１４および／または第２の本体部分２０に向かって軸方向に前進する。なお、本例のバイアス手段２６は、明瞭性のために、図３〜図６においては省略されている。
【０２２５】
アセンブリ１０は、図示の例では、第１の本体部分１６および第２の本体部分２０を含む、少なくとも２つの相対的に移動可能な部分、要素または部材を備える。
【０２２６】
アセンブリ１０では、第２の状態におけるスクリューヘッドの再利用が阻止される。スクリューヘッドは、アセンブリ１０が第１の状態から第２の状態へ転換（再構成）することを少なくとも補助するように構成される。図示の例では、アセンブリ１０は、スクリューヘッドを備える。図示の例では、アセンブリ１０は、開封の初期または第１段階において、第１の回転方向に回すために、第１のスクリューヘッド、および第１のスクリューヘッドに係合する第１の係合要素を備える。アセンブリ１０は、開封後または第２段階において、第２の回転方向に回すために、第２のスクリューヘッド、および第２のスクリューヘッドと係合する第２の係合要素を備える。第１および第２の係合要素は、突起を備える。スクリューヘッドは、アセンブリ１０から取り外し可能あるいは少なくとも部分的に取り外し可能である。
【０２２７】
アセンブリ１０は、第１の本体部分１６を容器１４および第２の本体部分２０に対する第１の位置から容器１４および第２の本体部分２０に対する第２の位置まで移動させることにより、第１の状態から第２の状態への転換は可能である。アセンブリ１０は、軸方向に移動し、かつ、第１の回転方向へ回転し、その後、軸方向に移動し、かつ、第２の回転方向に回転して、第１の位置から第２の位置に移動することが可能に構成されている。
【０２２８】
アセンブリ１０は、開封の初期または第１段階において、第１の回転方向に回転し、第１の軸方向に移動するように構成されているため、第１の距離または空間または間隔は実質的に低減される。アセンブリ１０は、開封後または第２段階において、第２の方向に回転し、第１の軸方向に軸方向に移動するように構成されているため、第２の距離または空間または間隔は実質的に低減される。第１の距離または空間または間隔は、第１の本体部分１６と第２の本体部分２０との間にある、間隔または距離または空間の少なくとも一部により構成される。
【０２２９】
第２の距離または空間または間隔は、第２の本体部分２０と容器１４との間にある、間隔または距離または空間の少なくとも一部により構成される。
【０２３０】
第１の距離または空間または間隔は、タンパーエビデンス部材１８を操作する、および／または、少なくとも部分的に除去する前において、タンパーエビデンス部材１８によって形成された間隔または距離または空間の少なくとも一部によって構成される。
【０２３１】
アセンブリ１０は、図１に示した密封状態である第１の状態と、図６に示した開封後の状態である第２の状態との間で転換（再構成）可能である。ただし、アセンブリ１０は、第２の状態から第１の状態へ転換（再構成）することはできない。クロージャアセンブリ１０は、再度封止することには適していない。クロージャアセンブリ１０は、開封後の第２段階に続いて、容器１４のネック部１２から、除去または少なくとも部分的に除去可能に構成されている。第１および第２の本体部分は、開封の第２段階の後に、容器１４のネック部１２から第２の軸方向に取り外し可能である。第２の軸方向は、第１の軸方向とは実質的に逆方向である。
【０２３２】
第１の状態は、アセンブリ１０が、伸長した形状、特に長手方向に伸長した形状により構成される。第２の状態は、アセンブリ１０が、圧縮された形状、特に長手方向に圧縮された形状により構成される。第１の状態では、アセンブリ１０は実質的に開状態にある。第２の状態では、アセンブリ１０は実質的に閉状態にある。
【０２３３】
アセンブリ１０は、第２の状態から第１の状態への再構成を阻止するためのロック部材または手段３４を備える。図示の例では、ロック部材または手段３２は、バヨネットフィッティング、ブロウ・キー、左巻のスクリューヘッドなどの相互係合装置を備える。スクリューヘッドは、アセンブリ１０が第１の状態から第２の状態に再構成するのを少なくとも補助するように構成される。しかしながら、アセンブリ１０は、スクリューヘッドが第２の状態で再利用されることを阻止するように構成される。図示の例では、アセンブリ１０は、第２の本体部分２０およびロック部材または手段３２上に設けられたスクリューヘッドを備える。スクリューヘッドは、クロージャアセンブリ１０と共に完全に取り外し可能である。
【０２３４】
クロージャアセンブリ１０は、クロージャアセンブリ１０の少なくとも一部または重要部を容器１４から少なくとも部分的に分離するための分離可能な接続部３５を備える。分離可能な接続部３５は、壊れやすい接続部を備える。分離可能な接続部３５は、内部に設置、配置、または位置する。図示の例では、分離可能な接続部３５は、容器１４の一部によって、アクセスし、視認し、あるいは接触することから、遮蔽、保護、あるいは隠蔽されている。したがって、分離可能な接続部３５は、不慮の分離、損傷（例えば、輸送による損傷）、または意図しないアクセス（例えば、操作）から遮蔽、保護、あるいは隠蔽される。分離可能な接続部３５は、容器１４のうちの中味が通る流路に配置される。すなわち、分離可能な接続部３５は、容器１４のネック部あるいはその内側に配置される。クロージャアセンブリ１０は、容器１４を初めて開封した際の開封後または第２段階において、分離可能な接続部３５を分離するように構成される。
【０２３５】
図６に示したように、開封後に容器１４を再密閉するさらなる密閉手段３６が提供される。例えば、容器１４の最初の開封後に容器１４を密閉するために、ストッパー、リッド、またはトップ（例えばコルク）が用いられる。さらなる密閉手段３４は、クロージャアセンブリ１０の除去後（例えば、クロージャアセンブリ１０による最初の開封後）に使用するために提供される。第１または初期の状態（例えば、初めて開封される前）から、第２または開封後の状態（例えば、最初の開封の間あるいは開封後）に、クロージャアセンブリ１０および／または容器１４を再構成することにより、クロージャアセンブリ１０は容器１４を再密封することには適さなくする。あるいは、そのような再構成により、追加的または代替的に、クロージャアセンブリ１０によって容器１４自体を再密封に適さなくさせる。また、クロージャアセンブリに、容器のネック部などにクロージャアセンブリの少なくとも一部を保持する手段を備えてもよい。
【０２３６】
図７は、容器１４にクロージャアセンブリ１０を設置または取り付ける前における、クロージャアセンブリ１０を示す。図示の例では、クロージャアセンブリ１０は、実質的に完全に組み立てられている。プリアセンブリ１０は、図示の例では、準希少部品または部材または高いコレクション性を備えた部材３２、および、ダイヤフラムまたはシール３０を含む。したがって、クロージャアセンブリ１０を実質的に完全に設置することにより、容器１４は密封される。代替例においては、クロージャアセンブリ１０の少なくとも一部を、容器１４に設置あるいは取り付けた後に、クロージャアセンブリ１０が組み立てられる。例えば、部材３２および／またはダイヤフラムまたはシール３０を容器１４に設置または取り付けた後で、クロージャアセンブリ１０の残りを設置または取り付けることもできる。
【０２３７】
図８に、本発明の第２の実施形態にかかるクロージャアセンブリ１１０と共に容器１１４を形成する部品の組立配置を縦断面図で示す。図８では、図１において同様の要素を示す参照番号に１００を足したものを参照番号としており、例えば図８の容器１１４およびクロージャアセンブリ１１０は、図１の容器１４およびクロージャアセンブリ１０に対応する。図８では、容器１１４は、ネック部１１２、クロージャアセンブリ１１０、およびダイヤフラムまたはシール１３０を備える。
【０２３８】
図示の例では、容器１１４は、アルコール飲料（例えば、ウィスキーやスコッチウィスキーなどのプレミアムスピリッツまたはプレミアムリカー）などの液体用のガラス容器として例示されている。容器１１４は、液体を収容するための本体またはチャンバ１１３を備える。
【０２３９】
クロージャアセンブリ１１０は、シールまたはダイヤフラム１３０を備えた第１の部分と、シールまたはダイヤフラム１３０を支持するためのグロメットなどからなる、シール、メンブレンまたはダイヤフラム１３０用の支持部材１３２を備える。ここで、第１の部分は、１つの部材により構成されるが、明瞭性のためにその平面と断面の両方を示している。ここで、シール、メンブレンまたはダイヤフラム１３０用の支持部材１３２は、食品用ステンレスなどの準希少材料からなる。ここで、シール、メンブレンまたはダイヤフラム１３０は、食品用ポリエチレンでコートされたホイルまたはシート基材などからなる食品用シールにより構成される。
【０２４０】
シール、メンブレンまたはダイヤフラム１３０用の支持部材１３２は、容器１１４の本体またはチャンバ１１３の近位側にある下側開口１３３よりも容器１１４の本体またはチャンバ１１３の遠位側にある上側開口１３１を備える。上側開口１３１は、下側開口１３３よりも小さい直径を有する。上側開口１３１は、シール、メンブレンまたはダイヤフラム１３０用の支持部材１３２の上側環状部によって形成される。シールまたはダイヤフラム１３０は、図１０に示したように、シールアセンブリ１３３を提供するために、シール、メンブレンまたはダイヤフラム１３０用の支持部材１３２の上側環状部の下側に取り付けられる。特に、図１２から理解されるように、シール、メンブレンまたはダイヤフラム１３０用の支持部材１３２は、図示の例では、内部設置部材を構成する。
【０２４１】
クロージャアセンブリ１１０は、ネック部１１２の一部を形成し、容器１１４の開口部１１５を形成するために、スリーブ状の２つの管状部１４０、１４２からなる第２の部分をさらに備える。
【０２４２】
図８の構成では、外側に取り付けるための２つのリング状のカラーからなる２つの外部部材１５０、１５２も備える。図示した外部部材１５０、１５２は、任意で彫刻または装飾が施された銀または銀めっきされたリングからなるコレクション性のある部材を含む。また、さらなる密閉手段１６０は、コルクまたはストッパーとして図示される。
【０２４３】
図９は、図８の構成から選択された部品を備えたクロージャアセンブリ１１０を備えた容器１１４の分解組立断面図であり、容器１１４は、容器１１４の本来ある開口部１１５を除去した状態で予め寸法が決定される。また、ネック部１１２の残部の厚さおよび外径を低減するために、ネック部１１２の残部の外面からも形成材料が除去される。このようにして、容器１１４のネック部１１２の下方内側スリーブ部分１１２ｌは、ネック部１１２の残部を形成し、クロージャアセンブリ１１０の第２の部分を受容する。また、アウタショルダー１４４が、容器１１４の本体またはチャンバ１１３の側に形成される。
【０２４４】
図１０は、液体１１７で充填された容器１１４および取り付け前に組み立てられたクロージャアセンブリ１１０の第１の部分と共に図示された図９のクロージャアセンブリを示す。容器１１４を充填することは、部分的に容器１１４を充填することであり、容器１１４の容積全体が必ずしも充填されるわけではない（例えば、容器が液体で充填された場合、容器の一部は液体で満たされずに残るため、ガス部分が液体中の圧力変化および／または充填耐性を無駄なく調節することを可能にする）。容器１１４の本体またはチャンバ１１３内に液体１１７を密封するために、図１１に図示したように、シール、メンブレンまたはダイヤフラム１３０用の支持部材１３２は、容器１１４の仮の開口部に接着される。図示の例では、シールまたはダイヤフラム１３０およびシール、メンブレンまたはダイヤフラム１３０用の支持部材１３２の下側と同様に、アルコール飲料との長い接触に適した食品用接着剤が用いられる。このようにして、容器１１４は、充填された後、クロージャアセンブリ１１０の第１の部分によってシールにより密封される。
【０２４５】
図１１も、ネック部１１２を形成するために容器１１４の内側スリーブ部分１１２ｌに取り付ける前に、２つの管状部１４０、１４２から組み立てられたクロージャアセンブリの第２の部分１４３を示している。ここで、２つの管状部１４０、１４２は、ガラス製であり、上側外部フランジ１４５および厚さが小さい下端側部を有する実質的に均質なスリーブを形成するために紫外線で接合される。
【０２４６】
管状部１４０、１４２のそれぞれの直径および長さの違いにより、その内径において段部が形成される。外側管状部１４０は、内側管状部１４２により形成されるスリーブ１４３の上部よりも大きい内径を有するスリーブ１４３の下部を形成する。したがって、第２の部分１４３が内側スリーブ部分１１２ｌに取り付けられた場合には、図１２に示すように、クロージャアセンブリ１１０の第１の部分１２９は、容器１１４の内側スリーブ部分１１２ｌとクロージャアセンブリの第２の部分１４３または装置１１０との間に軸方向に挟まれる。内方環状凹部１４７が、容器１１４の内方下側スリーブ部１１２ｌとクロージャアセンブリの第２の部分１４３または装置１１０の内側管状部１４２との間のネック部１１２に形成される。
【０２４７】
クロージャアセンブリの第２の部分１４３または装置１１０は、外側管状部１４０とショルダー１４４とが当接するまでの移動の長さ分だけ、下側スリーブ１１２に対して軸方向に取り付けられる。第２の部分１４３の移動長さは、下側ネック部１１２ｌの長さに相当するが、第２の部分のうち厚さが小さくなった部分（内側管状部１４２が存在しない第２の部分の下側側部）の長さよりも短いため、凹部１４７が形成される。
【０２４８】
容器１１４は、クロージャアセンブリ１１０の第１の部分１２９により密封されるため、クロージャアセンブリの第２の部分１４３または装置１１０は、代替方法によってクロージャアセンブリ１１０の第１の部分１２９に一体化、取り付けあるいは設置される。ここで、容器１１４が食料品で充填され、容器１１４が食品用に許可された方法（クロージャアセンブリ１１０の第１の部分１２９を取り付ける方法）で密封された場合、クロージャアセンブリの第２の部分１４３または装置１１０は、食品用に許可されていない手段を用いて一体化、取り付けあるいは設置することもできる。
【０２４９】
第２の部分１４３は、下側スリーブ部１１２ｌと重畳するとともに、環状のラップ接合部に紫外線で接着され、クロージャアセンブリ１１０の第１の部分１２９が一体化された容器１１４を形成する。したがって、容器１１４は、容器１１４の本体またはチャンバ１１３から液体１１７が排出される開口部１１５を備えた状態で、実質的に均質かつ連続的に形成され、開口部１１５と本体またはチャンバ１１３との間にネック部１１２が伸長する。
【０２５０】
クロージャアセンブリの第２の部分１４３または装置１１０は、容器１１４に一体化されているため、クロージャアセンブリの第２の部分１４３または装置１１０は一体化しているため、容器１１４から取り外し不能である。第２の部分１４３は、第１の部分１２９を保護または補強する。第２の部分１４３は、容器１１４から第１の部分１２９へのアクセスおよび除去を実質的に防止する。
【０２５１】
図１２から理解されるように、組立後の容器１１４は、ネック部１１２の中間部１６５に取り付けられたシールまたはダイヤフラム１３０を備える。シールまたはダイヤフラム１３０は、シールまたはダイヤフラム１３０と開口部１１５の間に間隔をあけた状態で、取り付けられている。シールまたはダイヤフラム１３０は、開口部１１５から離隔されているため、シールまたはダイヤフラム１３０へのアクセスが防止される。例えば、開口部１１５からシールまたはダイヤフラム１３０の間に間隔をおくことで、不正使用その他の望まれない行為において、シールまたはダイヤフラム１３０の除去および／または交換が防止される。
【０２５２】
シールまたはダイヤフラム１３０は、開口部１１５から間隔をおいて取り付けられ、シールまたはダイヤフラム１３０へのアクセスが阻害される。開口部１１５には、シールまたはダイヤフラム１３０への指によるアクセスが防止されるように、制限された開口が形成される。
【０２５３】
シールまたはダイヤフラム１３０は、開口部１１５から離隔されているが、シールまたはダイヤフラム１３０は、シール、メンブレンまたはダイヤフラム１３０の上下が少なくとも部分的に透明または半透明であるネック部１１２を通して目視可能である。ここで、シール、メンブレンまたはダイヤフラム１３０は、シール、メンブレンまたはダイヤフラム１３０の上下に伸長するネック部１１２の透明窓を通して目視可能である。シール、メンブレンまたはダイヤフラム１３０は、その密封状態、あるいは、開封、破損または破裂状態をこの窓から目視可能である。シールまたはダイヤフラム１３０は、容器１１４の開口部１１５から離隔しているため、シール、メンブレンまたはダイヤフラム１３０は、浮いているように存在する。
【０２５４】
ネック部１１２は、開口部１１５と本体またはチャンバ１１３との間に、ネック部１１２の長さに沿って厚さが小さい部分を備える。厚さが小さい部分は、開口部１１５と本体またはチャンバ１１３との間のネック部１１２の長さに沿って中間部１６５に配置される。厚さが小さい部分は、内部凹部１４７、および、クロージャアセンブリ１１０の第１の部分１２９のうちの、シールまたはダイヤフラム１３０とその支持部材１３２の取り付け位置に対応する。
【０２５５】
ネック部１１２のうちの厚さが小さい部分は、この部分の厚さがその両側の隣接部分よりも小さいため、これら２つの隣接部に対して段部を形成している。なお、ネック部１１２の隣接部のうちの片側は、他方側よりも容器１１４の本体またはチャンバ１１３に軸方向に近い。
【０２５６】
ここで、シール、メンブレンまたはダイヤフラム１３０用の支持部材１３２は、剛性部材を備える。シール、メンブレンまたはダイヤフラム１３０用の支持部材１３２は、凹部１４７に取り付けられるため、ネック部１１２から取り外し不能である。シール、メンブレンまたはダイヤフラム１３０用の支持部材１３２は、ネック部１１２の２つの隣接部により形成された容器１１４の内部輪郭よりも大きい外部輪郭を備える。シール、メンブレンまたはダイヤフラム１３０用の支持部材１３２の外部輪郭は、容器１１４の断面寸法よりも大きな断面寸法を有する。なお、この断面は、容器１１４のネック部１１２の長手方向の軸に対して垂直である。シール、メンブレンまたはダイヤフラム１３０用の支持部材１３２の外部輪郭はネック部１１２の外径を形成し、容器１１４の内部輪郭はネック部１１２の隣接部の内径を形成する。
【０２５７】
このようなネック部１１２の組立体の構造により、シール、メンブレンまたはダイヤフラム１３０用の剛性のある支持部材１３２の設置が可能となっている。このような構造でないと、容器１１４およびネック部１１２のいずれも剛性を備えるため、支持部材１３２をネック部１１２の中間部１６５に取り付けることが不可能または困難である。すなわち、より小さな輪郭の開口部１１５およびネック部１１２を通じた挿入によって、より大きな輪郭を有する剛性のある支持部材１３２を、ネック部１１２の中間部１６５に配置することは不可能である。
【０２５８】
シールまたはダイヤフラム１３０は、ダイヤフラム、シールまたはメンブレン１３０用の支持部材１３２とともに設置、取り付けまたは形成されるため、シールまたはダイヤフラム１３０は、容器１１４内に取り付けられた場合、シール、メンブレンまたはダイヤフラム１３０用の支持部材１３２から取り外すことは不可能である。
【０２５９】
なお、図９〜図１２に示した特定の実施形態においては、外部に取り付けられる部材１５０、１５２は含まれていない。
【０２６０】
図１３〜図１８に、容器２１４およびクロージャアセンブリまたは密封装置２１０を示すが、これらは図８に示したものと同様であり、同様の部材に対して、図８の参照番号に２００を加えた参照番号を使用している。図１３に示すように、容器２１４がネック部２１２を備え、クロージャアセンブリ２１０は、ダイヤフラムまたはシール２３０を備える。
【０２６１】
図１３および図１４は、それぞれ図９および図１１と同様である。容器２１４は、クロージャアセンブリの第１の部分２１０により、図１０と同様のステップで、密封されるが、図１０に相当する図面は、簡潔性のために省略される。シール、メンブレンまたはダイヤフラム２３０および支持部材２３２は、シールアセンブリ２３３を構成する。
【０２６２】
クロージャアセンブリ２１０の第２の部分２４３の取り付けまたは一体化前に、クロージャアセンブリ２１０の第１の部分２２９の取り付けまたは一体化を行うことに加え、２つの外部部材またはスリーブ２５０、２５２は、クロージャアセンブリ２１０の第２の部分２４３の取り付けまたは一体化の前に、組み付けられる。
【０２６３】
ここで、上側外部部材２５２は、クロージャアセンブリ２１０の第２の部分２４３が、外側管状部２４０および内側管状部２４２を結合することにより予め組み立てられている場合には、外側管状部２４０の外面に固定される。なお、外側管状部２４０および内側管状部２４２はガラス製であり、紫外線接合により接合される。剛性のある上側外部部材２５０は、外側管状部２４０の外面上を上方にスライドさせられ、さらに接着によってその位置に固定される。したがって、上側外部部材２５２は、外側管状部２４０と内側管状部２４２との間の継ぎ目または継ぎ目の部分を覆う。
【０２６４】
図１５および図１６は、第１の部分２２９（図１４）に続いて、容器２１４に取り付けまたは一体化された第２の部分２４３を、容器２１４とともに示している。図１５では、クロージャアセンブリ２１０の第２の部分２４３は、下側外部部材２５０がネック部２１２の周囲の上側の位置に緩く配置された状態で、容器２１４に取り付けまたは一体化されている。下側外部部材２５０がこの位置にある状態で、クロージャアセンブリ２１０の第２の部分２４３は、下側ネック部２１２ｌに紫外線で接合され、容器２１４上に組みつけられた２つの外部部材２５０、２５２とともに、クロージャアセンブリ２１０の第１の部分２２９が一体化された容器２１４を形成する。
【０２６５】
図１６は、クロージャアセンブリ２１０の第２の部分２４３と容器２１４のネック部２１２ｌとの間の、特にショルダー２４４における継ぎ目または結合箇所を覆うために、ネック部２１２まで下側外部部材２５０を移動させた状態を示す。下側外部部材２５０は、接着によりネック部２１２のこの位置に固定される。
【０２６６】
外部部材２５０、２５２は、クロージャアセンブリ２１０の第２の部分２４３と一体化した後は、容器２１４から取り外し不能に、取り付けられている。フランジ２４５が、より大きな外部輪郭を有しているため、外部部材２５０、２５２の内部輪郭よりも大きい外部輪郭を有する本体またはチャンバ２１３を備えた容器２１４に、クロージャアセンブリ２１０の第２の部分２４３を一体化、取り付けまたは設置した後は、外部部材２５０、２５２をネック部２１２から取り外すことも挿入することもできなくなる。クロージャアセンブリ２１０の第２の部分２４３の一体化、取り付けまたは設置の前においてのみ、容器２１４に剛性のある外部部材２５０、２５２を組み付けることが可能である。特に、外方に伸長するフランジ２４５がより大きい外部輪郭を有するということは、ネック部２１２の中間部に剛性のある外部部材２５０、２５２を配置しようとしても、より大きい輪郭の開口部２１５またはネック部２１２を超えて、より小さい輪郭の剛性のある外部部材２５０、２５２を取り付けることは不可能である。
【０２６７】
図１７および図１８は、それぞれ、さらなる密閉手段２６０とともに、クロージャアセンブリ２１０の第１の部分２２９の密封性を示すために、図１６の組立後の容器２１４についての逆さにした状態の側面図および細部側面図を示す。
【０２６８】
シールまたはダイヤフラム２３０は、開口部２１５から離隔しているが、シールまたはダイヤフラム２３０は、図示の例では外部部材２５０、２５２により透明ではない部分に隣接して、目視可能となっている。シールまたはダイヤフラム２３０は、開口部２１５からは離隔しているため、開口部２１５とシールまたはダイヤフラムとの間のネック部２１２内に空間が設けられ、さらなる密閉手段２６０が受け入れられるようになっている。ここで、さらなる密閉手段２６０は、シールまたはダイヤフラム２３０を破損させて容器２１４を初めて開封した後に、容器２１４を密閉するためのコルクまたはストッパーとして機能する。シールまたはダイヤフラム２３０と開口部２１５との間に間隔があるため、シールまたはダイヤフラム２３０と接触したり干渉したりすることなく、容器２１４の開口部２１５に対して、さらなる密閉手段を配置することが可能になる。図１７および図１８に示すように、さらなる密閉手段２６０は、最初の開封前に追加的なシール機能あるいは密封機能を提供する。さらなる密閉手段２６０は、開封前すなわちシールまたはダイヤフラム２３０の破損前において、開口部２１５上あるいは開口部２１５内に少なくとも部分的に配置することが可能である。
【０２６９】
図１９は、容器２１４、図１７のさらなる密閉手段２６０、および容器２１４を開封するための細長い部材２９０を備え、これらのすべてがパッケージ２９５に収容されて、キット２８０を構成した状態を示す側面図である。図示のパッケージ２９５は、容器２１０、さらなる密閉手段２６０、および細長い部材２９０が個別的にパッケージ２９５に収容されている、贈答用箱を示す。
【０２７０】
図２０に示すように、儀式用の小刀（スキアンドゥー；SgianDubh）のような形状の細長い部材２９０は、開口部２１５に挿入して、シールまたはダイヤフラム２３０を破損または破裂させて、容器２１４を初めて開封するために用いられる。
【０２７１】
シール、メンブレンまたはダイヤフラム２３０用の支持部材２３２は、シールまたはダイヤフラム２３０が、容器２１４内に取り付けられた場合、少なくともシールまたはダイヤフラム２３０が破損または破裂させられた場合に、シール、メンブレンまたはダイヤフラム２３０用の支持部材２３２の下において目視可能となるように、容器２１４に取り付けられる。ここで、シール、メンブレンまたはダイヤフラム２３０用の支持部材２３２が透明または不透明でない場合、シール、メンブレンまたはダイヤフラム２３０用の支持部材２３２は、シールまたはダイヤフラム２３０の破裂または破損した部分がシール、メンブレンまたはダイヤフラム２３０用の支持部材２３２の隣で、容器２１０の本体またはチャンバ２１３の側で目視可能となるように形成される。したがって、シールまたはダイヤフラム２３０は、少なくとも開封、破裂または破損させられた場合に、開封または操作がなされたことを示すために、目視可能となる。支持部材２３２の本体側に配置することで、容器の開口部２１５を通じたシールまたはダイヤフラム２３０を除去することが阻止され、かつ、シールまたはダイヤフラム２３０を容器の開口部２１５に挿入して、不正なシールまたはダイヤフラムと交換されてしまうことも阻止される。この機能は、シール、メンブレンまたはダイヤフラム２３０用の支持部材２３２の上側開口２３１を、下側開口２３３よりも小さい直径とすることによっても高められる。シールまたはダイヤフラム２３０の直径は、上側開口２３１よりも大きくなっている。
【０２７２】
図２１は、容器２１４内の液体２１７をグラス２９６に注ぐために傾けられた状態で示す、図２０の開封された容器の断面図である。液体２１７は、中間部２６５にある破損または破裂させられたシールまたはダイヤフラム２３０、および、ネック部２１２の残りの部分を通過して流れた後、容器２１４の開口部２１５から排出される。最初の開封後、さらなる密閉手段２６０は、図２２および図２３に示したように、開口部２１５を介してネック部２１２内に挿入される。
【０２７３】
図２３は、シールまたはダイヤフラム２３０が開封、破裂または破損させられている場合に、すでに開封または操作がなされたことが視認できるようになっている状態を示している。容器２１４が開封されると、内容物が完全に排出された場合であっても、容器は、本来の価値を保持する。少なくとも、シール、メンブレンまたはダイヤフラム２３０用の支持部材２３２および／または外部部材２５０、２５２のいずれかあるいは両方によって、容器２１４は、そのまま保持しようとさせる動機を与える程度に十分な価値を保持し、これによって容器２１４が不正使用しようとする者に譲渡される可能性を低減させることができる。容器２１４は、コレクションとしての価値および／または素材本来に基づく価値を保持する。
【０２７４】
上述した装置は、いずれも、上述した機能に加えて、他の機能を併せ持つ可能性があるが、これらの機能はこのような装置でも発揮される。
【０２７５】
本明細書中に記載した個別の特徴をそれぞれ独立して開示するとともに、そのような特徴の２つ以上の組み合わせを開示したが、そのような特徴または組み合わせは、それらが本明細書に開示された課題を解消するか否かに拘わらず、また、特許請求の範囲を限定することなく、当業者の共通一般知識に鑑み、本明細書全体に基づいて実施することが可能である。本発明の態様は、個別の特徴または特徴の組み合わせからなる。なお、本明細書中に記載した実施形態は、単に説明の目的で記載されたものであり、本発明の範囲を超えることなく種々の変形を採りうる。
【図１】
2016525048.tif 000003
【図２】
2016525048.tif 000004
【図３】
2016525048.tif 000005
【図４】
2016525048.tif 000006
【図５】
2016525048.tif 000007
【図６】
2016525048.tif 000008
【図７】
2016525048.tif 000009
【図８】
2016525048.tif 000010
【図９】
2016525048.tif 000011
【図１０】
2016525048.tif 000012
【図１１】
2016525048.tif 000013
【図１２】
2016525048.tif 000014
【図１３】
2016525048.tif 000015
【図１４】
2016525048.tif 000016
【図１５】
2016525048.tif 000017
【図１６】
2016525048.tif 000018
【図１７】
2016525048.tif 000019
【図１８】
2016525048.tif 000020
【図１９】
2016525048.tif 000021
【図２０】
2016525048.tif 000022
【図２１】
2016525048.tif 000023
【図２２】
2016525048.tif 000024
【図２３】
2016525048.tif 000025
【国際調査報告】
2016525048.tif 000026
2016525048.tif 000027
2016525048.tif 000028
2016525048.tif 000029
2016525048.tif 000030
2016525048.tif 000031
2016525048.tif 000032